(57)【要約】      （修正有）【課題】狭長構造物を伴う構造アセンブリ（ストリンガを伴う航空機構造物など）を提供する。【解決手段】構造アセンブリは、支持構造物と、支持構造物と交差する狭長構造物とを含む。狭長構造物は長さ及び質量を有する。狭長構造物の質量は、この狭長構造物の長さに沿って変動する。狭長構造物の局所的質量は、支持構造物に向かって減少し、支持構造物から離れて増大する。【選択図】なし【特許請求の範囲】
【請求項１】
支持構造物（１０４）と、
前記支持構造物（１０４）と交差する狭長構造物（１０２）であって、長さ（１１４）及び質量（２３８）を有する、狭長構造物（１０２）とを備える、構造アセンブリ（１００）であって、
前記狭長構造物（１０２）の前記質量（２３８）は、前記狭長構造物（１０２）の前記長さ（１１４）に沿って変動し、
前記狭長構造物（１０２）の局所的質量（２４０）が、前記支持構造物（１０４）に向かって減少し、前記支持構造物（１０４）から離れて増大する、
構造アセンブリ（１００）。
【請求項２】
前記狭長構造物（１０２）が高さ（１１０）を有し、
前記狭長構造物（１０２）の前記高さ（１１０）は、前記狭長構造物（１０２）の前記長さ（１１４）に沿って変動し、
前記狭長構造物（１０２）の局所的高さ（２４２）が、前記支持構造物（１０４）に向かって減少し、前記支持構造物（１０４）から離れて増大する、請求項１に記載の構造アセンブリ（１００）。
【請求項３】
前記狭長構造物（１０２）の前記局所的高さ（２４２）の減少は、前記狭長構造物（１０２）の前記局所的質量（２４０）の減少に対応し、
前記狭長構造物（１０２）の前記局所的高さ（２４２）の増大は、前記狭長構造物（１０２）の前記局所的質量（２４０）の増大に対応する、請求項２に記載の構造アセンブリ（１００）。
【請求項４】
前記支持構造物（１０４）の近位における前記狭長構造物（１０２）の前記局所的高さ（２４２）が、前記狭長構造物（１０２）の最小高さ（１１６）となり、
前記支持構造物（１０４）から離間している場所における前記狭長構造物（１０２）の前記局所的高さ（２４２）が、前記狭長構造物（１０２）の最大高さ（１１８）となる、請求項２又は３に記載の構造アセンブリ（１００）。
【請求項５】
前記支持構造物（１０４）が、開口（２０６）を有する壁構造物（２６４）を備え、
前記狭長構造物（１０２）が、前記開口（２０６）を通って延在し、
前記狭長構造物（１０２）の前記最小高さ（１１６）が、前記支持構造物（１０４）の前記開口（２０６）のところに位置している、請求項４に記載の構造アセンブリ（１００）。
【請求項６】
前記開口（２０６）が開口高さ（２５８）を有し、
前記開口高さ（２５８）は、前記狭長構造物（１０２）の前記最大高さ（１１８）を下回る、請求項５に記載の構造アセンブリ（１００）。
【請求項７】
前記支持構造物（１０４）は第１支持構造物（１０４Ａ）であり、
前記構造アセンブリ（１００）は、前記第１支持構造物（１０４Ａ）に対向している第２支持構造物（１０４Ｂ）であって、前記第１支持構造物（１０４Ａ）から離間している、第２支持構造物（１０４Ｂ）を更に備え、
前記狭長構造物（１０２）が、前記第１支持構造物（１０４Ａ）と前記第２支持構造物（１０４Ｂ）との間に延在し、
前記狭長構造物（１０２）の前記最小高さ（１１６）は、前記狭長構造物（１０２）と前記第１支持構造物（１０４Ａ）の交差部、及び、前記狭長構造物（１０２）と前記第２支持構造物（１０４Ｂ）の、交差部に位置しており、
前記狭長構造物（１０２）の前記最大高さ（１１８）は、前記第１支持構造物（１０４Ａ）と前記第２支持構造物（１０４Ｂ）との間の途中地点に位置している、請求項４から６のいずれか一項に記載の構造アセンブリ（１００）。
【請求項８】
前記狭長構造物（１０２）が、
前記狭長構造物（１０２）の前記長さ（１１４）にわたり延在するウェブ（１２０）と、
前記ウェブ（１２０）から延在する下側フランジ（１２２）とを備える、請求項２から７のいずれか一項に記載の構造アセンブリ（１００）。
【請求項９】
前記ウェブ（１２０）がウェブ高さ（１２４）を有し、
前記ウェブ（１２０）の前記ウェブ高さ（１２４）は、前記狭長構造物（１０２）の前記長さ（１１４）に沿って変動し、かつ、少なくとも部分的に、前記狭長構造物（１０２）の前記高さ（１１０）を画定し、
前記ウェブ（１２０）の局所的ウェブ高さ（２５２）は、前記支持構造物（１０４）に向かって減少し、前記支持構造物（１０４）から離れて増大する、請求項８に記載の構造アセンブリ（１００）。
【請求項１０】
前記ウェブ（１２０）の前記局所的ウェブ高さ（２５２）の減少は、前記狭長構造物（１０２）の前記局所的質量（２４０）の減少に対応し、
前記狭長構造物（１０２）の前記局所的ウェブ高さ（２５２）の増大は、前記狭長構造物（１０２）の前記局所的質量（２４０）の増大に対応する、請求項９に記載の構造アセンブリ（１００）。
【請求項１１】
前記ウェブ（１２０）がウェブ肉厚（２５４）を有し、
前記ウェブ肉厚（２５４）は、前記狭長構造物（１０２）の前記長さ（１１４）に沿って変動し、
前記ウェブ（１２０）の局所的ウェブ肉厚（２５６）は、前記支持構造物（１０４）に向かって減少し、前記支持構造物（１０４）から離れて増大する、請求項８から１０のいずれか一項に記載の構造アセンブリ（１００）。
【請求項１２】
前記ウェブ（１２０）の前記局所的ウェブ肉厚（２５６）の減少は、前記狭長構造物（１０２）の前記局所的質量（２４０）の減少に対応し、
前記狭長構造物（１０２）の前記局所的ウェブ肉厚（２５６）の増大は、前記狭長構造物（１０２）の前記局所的質量（２４０）の増大に対応する、請求項１１に記載の構造アセンブリ（１００）。
【請求項１３】
前記狭長構造物（１０２）が、前記下側フランジ（１２２）の反対側の、前記ウェブ（１２０）から延在する上側フランジ（１２８）を更に備え、
前記下側フランジ（１２２）が、前記狭長構造物（１０２）の前記長さ（１１４）に沿って変動する、下側フランジ幅（１４４）を有し、
前記上側フランジ（１２８）が、前記狭長構造物（１０２）の前記長さ（１１４）に沿って変動する、上側フランジ幅（１４６）を有する、請求項８から１２のいずれか一項に記載の構造アセンブリ（１００）。
【請求項１４】
前記狭長構造物（１０２）がモノリシック構造物を含む、請求項１から１３のいずれか一項に記載の構造アセンブリ（１００）。
【請求項１５】
支持構造物（１０４）と、前記支持構造物（１０４）と交差する狭長構造物（１０２）とを備える構造アセンブリ（１００）において、構造荷重を支持するための方法（１０００）であって、
前記狭長構造物（１０２）の長さ（１１４）の少なくとも１つの部分に沿って変動する質量（２３８）を有する前記狭長構造物（１０２）に、前記構造荷重を負荷するステップであって、前記狭長構造物（１０２）の局所的質量（２４０）は、前記支持構造物（１０４）に向かって減少し、前記支持構造物（１０４）から離れて増大する、前記構造荷重を負荷するステップと、
曲げモーメントに抵抗するよう、前記構造荷重に反応するステップと、
前記狭長構造物（１０２）に対する前記構造荷重を解消するステップとを含む、
方法（１０００）。
【請求項１６】
前記狭長構造物（１０２）が、前記狭長構造物（１０２）の前記長さ（１１４）にわたり延在するウェブ（１２０）を備え、
前記ウェブ（１２０）が、ウェブ高さ（１２４）及びウェブ肉厚（２５４）を有し、
前記ウェブ高さ（１２４）と前記ウェブ肉厚（２５４）の少なくとも一方は、前記狭長構造物（１０２）の前記長さ（１１４）に沿って変動し、
前記ウェブ（１２０）の局所的ウェブ高さ（２５２）と局所的ウェブ肉厚（２５６）の少なくとも一方の減少は、前記狭長構造物（１０２）の前記局所的質量（２４０）の減少に対応し、
前記ウェブ（１２０）の前記局所的ウェブ高さ（２５２）と前記局所的ウェブ肉厚（２５６）の少なくとも一方の増大は、前記狭長構造物（１０２）の前記局所的質量（２４０）の増大に対応し、
負荷をかけることに応じて、前記構造荷重は、前記狭長構造物（１０２）の、最大質量（２６８）を有する少なくとも１つの部分に受容される、請求項１５に記載の方法（１０００）。
【請求項１７】
前記狭長構造物（１０２）の前記長さ（１１４）の全体にわたって、前記構造荷重を変動させることを更に含み、前記構造荷重は、前記狭長構造物（１０２）の、前記最大質量（２６８）を有する部分に沿って増大し、前記狭長構造物（１０２）の、最小質量（２６６）を有する部分に沿って減少する、請求項１５又は１６に記載の方法（１０００）。
【発明の詳細な説明】
【技術分野】
【０００１】
本開示は、概して構造アセンブリに関し、より詳細には、狭長構造物を伴う構造アセンブリ（ストリンガを伴う航空機構造物など）に関する。
【背景技術】
【０００２】
構造アセンブリは、多種多様な負荷条件のもとで構造物に構造支持を提供するために、広範な構成において使用可能である。多くの場合、かかる構造アセンブリは、構造支持部材と、構造支持部材に連結される狭長構造部材とを含む。かかる構造支持部材及び狭長構造部材は、構造アセンブリの枠組みの耐荷重構成要素としての役割を果たす。多くの場合、かかる狭長構造部材は、構造アセンブリの構造支持部材間の場所に、曲げ剛性及びねじり剛性を提供する。輸送体構造物（例えば航空機）及びその他のスタンドアロン型構造物の構築には、数多くのかかる構造アセンブリが使用される。
【０００３】
一例では、航空機の翼及び胴体のアセンブリは、典型的に、複数の平行した狭長構造部材（ストリンガ又はスティフナと称される）を含む。かかるストリンガは、典型的には、翼及び胴体の外板部材に動作可能に連結される。このような外板部材は、協働して、翼及び胴体の表面に、望ましい曲げ剛性及びねじり剛性を提供する。ストリンガは、負荷条件によって発生する曲げモーメントに抵抗するように、一部分（平面ウェブ部分など）であって、対応する外板部材に対してほぼ直角な方向に通常配向されており、かつ、翼表面に沿った翼長方向又は胴体表面に沿った長手方向に延在している、一部分を含みうる。
【０００４】
かかる狭長構造部材は、他の設計構成を凌駕する、ある程度優良な曲げ剛性特性を供しうるが、ある種の狭長構造部材の使用を制限する傾向がありうる１つの問題は、重量及びコストを過度に増大させることなく、取り付け領域における適切な荷重伝達を伴って、構造アセンブリの隣接した複数の構造支持部材に狭長構造部材を取り付けることは困難である、ということである。例えば、様々な種類の関連構造支持部材（翼フレーム部材又は胴体フレーム部材など）への、ある種の狭長構造部材の適切な取り付けを促進するためには、取り付け部品が必要になりうる。ある種の状況においては、印加される荷重が小さければ、ある種の狭長構造部材の取り付けは比較的容易でありうるが、大きな負荷がかかる構造物では、取り付けが困難になりうる。
【０００５】
望ましい重量及び性能特性を有する狭長構造部材（ストリンガなど）を設計することも、困難でありうる。例えば、望ましい性能特性を有する狭長構造部材は、構造及び形状寸法の点で所望よりも複雑なものになりうるか、又は、所望よりも重くなりうる。構造及び形状寸法の複雑性が増すことで、かかる狭長構造部材を製造するための時間及びコストも増大しうる。例えば、狭長構造部材が望ましい重量を有していたとしても、この狭長構造部材の性能特性は、単一の狭長構造部材が望ましいところに更なる狭長構造部材が必要とされうるようなものでありうる。
【０００６】
したがって、当業者は、狭長構造部材を有する構造アセンブリの分野において、研究開発の努力を続けている。そのため、上述の懸念に対処することを目的とした、構造荷重を支持するための狭長構造物、狭長構造物を伴う構造アセンブリ、及び方法があれば、それらは有用であろう。
【発明の概要】
【０００７】
以下の記述では、本開示に係る主題の例を非網羅的に列挙する。かかる例は、特許請求されることも、特許請求されないこともある。
【０００８】
一例では、構造アセンブリは、支持構造物と、支持構造物と交差する狭長構造物とを含む。狭長構造物は長さ及び質量（ｍａｓｓ）を有する。狭長構造物の質量は、この狭長構造物の長さに沿って変動する。狭長構造物の局所的質量は、支持構造物に向かって減少し、支持構造物から離れて増大する。
【０００９】
一例では、構造アセンブリのための狭長構造物は、長さ及び質量を有しており、狭長構造物の長さにわたり延在するウェブと、ウェブから延在する下側フランジとを含む。狭長構造物は、構造アセンブリの支持構造物と交差するよう構成される。狭長構造物の質量は、この狭長構造物の長さに沿って変動する。狭長構造物の局所的質量は、狭長構造物の長さの少なくとも１つの部分に沿って減少し、狭長構造物の長さの少なくとも１つの別の部分に沿って増大する。
【００１０】
一例では、支持構造物と、支持構造物と交差する狭長構造物とを含む構造アセンブリにおいて、構造荷重を支持するための方法は、（１）狭長構造物の長さの少なくとも１つの部分に沿って変動する質量を有する狭長構造物に、構造荷重を負荷するステップであって、狭長構造物の局所的質量が支持構造物に向かって減少し、支持構造物から離れて増大する、構造荷重を負荷するステップと、（２）曲げモーメントに抵抗するよう、構造荷重に反応するステップと、（３）狭長構造物に対する構造荷重を解消するステップとを、含む。
【００１１】
本開示の構造アセンブリ、狭長構造物、及び方法についての他の例も、下記の発明を実施するための形態、添付図面、及び付随する特許請求の範囲から、自明となろう。
【図面の簡単な説明】
【００１２】
【図１】構造物及びこの構造物の構造アセンブリの一例の概略ブロック図である。
【図２】構造アセンブリの一例の概略的な部分斜視図である。
【図３】構造アセンブリの一例の概略的な部分斜視図である。
【図４】航空機の一例の概略斜視図である。
【図５】構造アセンブリの一例の概略的な部分分解断面図である。
【図６】構造アセンブリの一例の概略的な部分斜視図である。
【図７】構造アセンブリの一例の概略的な部分斜視図である。
【図８】構造アセンブリの一例の概略的な部分斜視図である。
【図９】構造アセンブリの一例の概略的な部分断面図である。
【図１０】構造アセンブリの一例の概略的な部分斜視図である。
【図１１】構造アセンブリの一例の概略的な部分斜視図である。
【図１２】構造アセンブリの一例の概略的な部分斜視図である。
【図１３】構造アセンブリの一例の概略的な部分斜視図である。
【図１４】本開示の構造アセンブリの一部分の一例の概略斜視図である。
【図１５】構造アセンブリの一例の概略的な部分断面図である。
【図１６】構造アセンブリの一例の概略的な部分斜視図である。
【図１７】構造アセンブリの一例の概略的な部分斜視図である。
【図１８】構造アセンブリにおいて構造荷重を支持するための方法の一例のフロー図である。
【図１９】狭長構造物を作製するための方法の一例のフロー図である。
【図２０】製造環境の一例の概略ブロック図である。
【図２１】例示的な航空機製造・保守方法のフロー図である。
【発明を実施するための形態】
【００１３】
以下の発明を実施するための形態は添付図面に言及しており、添付図面は、本開示で説明している具体例を示している。異なる構造物及び工程を有する他の例も、本開示の範囲から逸脱するものではない。同様の参照番号は、別々の図面における同じ特徴、要素、又は構成要素を表わすことがある。
【００１４】
本開示に係る主題の例示的で非網羅的な例であって、特許請求されうるが、必ずしも特許請求されるわけではない例が、以下で提供される。本書における「例（ｅｘａｍｐｌｅ）」への言及は、この例に関連して説明されている、一又は複数の特徴、構造、要素、構成要素、特性、及び／又は工程ステップが、本開示に係る主題の、少なくとも１つの実施形態及び／又は実行形態に含まれることを、意味している。ゆえに、本開示全体にわたる「一例（ｏｎｅ  ｅｘａｍｐｌｅ）」、「一部の例（ｓｏｍｅ  ｅｘａｍｐｌｅｓ）」という表現、及び類似の文言は、同じ例のことでありうるが、必ずしもそうとは限らない。更に、いずれか１つの例を特徴付けている主題は、それ以外の例のいずれかを特徴付ける主題を含みうるが、必ずしもそうとは限らない。
【００１５】
本開示は、狭長構造物、狭長構造物を利用する構造アセンブリ、狭長構造物を利用する構造アセンブリを用いて構造荷重を支持するための方法、並びに、狭長構造物及び狭長構造物を利用する構造アセンブリを作製するための方法の、例を提供する。かかる狭長構造物は、例えば、強度を増大させるため、荷重を支えるため、荷重を伝達するため、及び、荷重によって発生する曲げモーメントに抵抗するために、使用されうる。本開示の狭長構造物の例は、その長さの少なくとも１つの部分に沿って、可変質量と可変体積（ｖａｒｉａｂｌｅ  ｖｏｌｕｍｅ）の少なくとも一方を有する。本開示の狭長構造物の一部の例では、この可変質量及び／又は可変体積は、狭長構造物が、その長さの少なくとも１つの部分に沿って、可変高さ、可変幅、及び／又は可変ウェブ肉厚のうちの少なくとも１つを有することによって、実現される。かかる狭長構造物の可変質量及び／又は可変体積により、狭長構造物の一又は複数の部分の横座屈による局所的不具合に対する、耐性がもたらされうる。本開示の構造アセンブリの例はかかる狭長構造物を含み、狭長構造物は、構造アセンブリの支持構造物のうちの少なくとも１つに、動作可能に連結される。本書で開示されている狭長構造物、構造アセンブリ、及び方法の例は、多種多様な構造物と共に使用されうる。より詳細には、本書で開示されている狭長構造物、構造アセンブリ、及び方法の例は、軽量で強靭な構造物を有することが求められるところで、多種多様な輸送体構造物（航空機、宇宙船、モータ移動体、船舶、及びその他の移動体など）、並びに、その他の多種多様なスタンドアロン構造物と共に、使用されうる。
【００１６】
図１は、少なくとも１つの構造アセンブリ１００を利用して、構築され又は別様に作製される、構造物２３２の一例を示している。一部の例では、構造物２３２は、輸送体構造物２３４であるか、又は輸送体構造物２３４の形態をとる。例えば、輸送体構造物２３４は、任意の種類の輸送体（例えば航空機、宇宙船、モータ移動体、船舶など）の少なくとも１つの部分を形成しうる。一部の例では、構造物２３２は、スタンドアロン構造物２３６であるか、又はスタンドアロン構造物２３６の形態をとる。例えば、スタンドアロン構造物２３６は、恒久的若しくは一時的な建造物、ロケット、衛星、又は他の任意の種類の製造された構造物の、少なくとも１つの部分を形成しうる。
【００１７】
一部の例では、構造アセンブリ１００は、少なくとも１つの支持構造物１０４と、少なくとも１つの狭長構造物１０２とを含む。典型的には、構造物２３２は複数の構造アセンブリ１００を含む。図１には、単一の支持構造物１０４及び単一の狭長構造物１０２を含む単一の構造アセンブリ１００だけが示されているが、例えば構造物２３２を形成する構造アセンブリ１００の各々は、通常、複数の支持構造物１０４及び複数の狭長構造物１０２を含む。一部の例では、狭長構造物１０２のうちの少なくとも１つが、支持構造物１０４のうちの少なくとも１つと、交差するか又は接合部を形成する。一部の例では、狭長構造物１０２のうちの少なくとも１つが、隣接し対向している支持構造物１０４の対の間に延在する。一部の例では、狭長構造物１０２のうちの少なくとも１つは、例えば狭長構造物１０２から支持構造物１０４に荷重を伝達させるために、支持構造物１０４のうちの少なくとも１つと動作可能に連結される。
【００１８】
この開示においては、「交差する（ｉｎｔｅｒｓｅｃｔ）」、「交差（ｉｎｔｅｒｓｅｃｔｉｎｇ）」、「交差部（ｉｎｔｅｒｓｅｃｔｉｏｎ）」という語、及びこれらの変化形は、当業者にとって通常の意味を有しており、例えば、２つ以上のアイテムが、互いに接続しているか、互いを通り過ぎているか、さもなければ互いの間に接合部を形成していることを表わす。
【００１９】
一部の例では、構造アセンブリ１００は少なくとも１つのパネル構造物１０８を含む。図１に示している構造アセンブリ１００は単一のパネル構造物１０８を含んでいるが、例えば構造物２３２を形成する構造アセンブリ１００の各々は、通常、複数のパネル構造物１０８を含む。一部の例では、パネル構造物１０８は、構造アセンブリ１００の外側、又は構造物２３２の外側の一部分を形成する。
【００２０】
一部の例では、狭長構造物１０２は、例えばパネル構造物１０８から狭長構造物１０２に荷重を伝達させるために、パネル構造物１０８と動作可能に連結される。一部の例では、支持構造物１０４は、例えばパネル構造物１０８から支持構造物１０４に荷重を伝達させるために、パネル構造物１０８と動作可能に連結される。
【００２１】
通常、狭長構造物１０２（又は、複数の狭長構造物１０２の各々）は、長さ１１４、高さ１１０、及び幅２４４によって画定される、形状寸法を有する。狭長構造物１０２は、狭長構造物１０２の形状寸法によって画定される体積２７４も有する。狭長構造物１０２は、狭長構造物１０２の材料組成及び狭長構造物１０２の形状寸法（例えば体積２７４）によって画定される、質量２３８も有する。
【００２２】
一部の例では、狭長構造物１０２の質量２３８は、狭長構造物１０２の長さ１１４に沿って変動可能である（例えば、可変質量を含む）。換言すると、狭長構造物１０２の局所的質量２４０は、狭長構造物１０２の長さ１１４の一又は複数の部分の端から端までにおいて変動する。この開示においては、「局所的質量（ｌｏｃａｌｉｚｅｄ  ｍａｓｓ）」という語は、狭長構造物１０２の長さ１１４に沿ったある特定の領域、エリア、又は場所における、狭長構造物１０２の質量２３８のことである。一部の例では、質量２３８は、狭長構造物１０２の長さ１１４に沿って、絶えず変動する。一部の例では、質量２３８は、狭長構造物１０２のある長さに沿って局所的質量２４０が不変の部分と、同じ狭長構造物１０２の別の部分の（例えば異なる）長さに沿って局所的質量２４０が可変な部分の、両方を有する。
【００２３】
一部の例では、支持構造物１０４の近位で（例えば、支持構造物１０４のところ又はその付近で）、狭長構造物１０２の質量２３８は減少するか又は低減される。一例では、支持構造物１０４の近位又は支持構造物１０４のところにおける狭長構造物１０２の局所的質量２４０は、狭長構造物１０２の最小局所的質量（本書では最小質量２６６とも称される）となるか、又はかかる最小局所的質量を画定する。
【００２４】
一部の例では、支持構造物１０４から、狭長構造物１０２の長さ１１４に沿った支持構造物１０４から離間している場所に至るまで、狭長構造物１０２の質量２３８は増大する。一例では、支持構造物１０４のから離間したところにおける狭長構造物１０２の局所的質量２４０は、狭長構造物１０２の最大局所的質量（本書では最大質量２６８とも称される）となるか、又はかかる最大局所的質量を画定する。
【００２５】
一部の例では、狭長構造物１０２と支持構造物１０４の対の少なくとも１方との交差部又は接合部における、狭長構造物１０２の局所的質量２４０は、狭長構造物１０２の最小質量２６６となるか、又は最小質量２６６を画定する。一部の例では、支持構造物１０４の対の途中地点における狭長構造物１０２の局所的質量２４０は、狭長構造物１０２の最大質量２６８となるか、又は最大質量２６８を画定する。
【００２６】
一部の例では、狭長構造物１０２の長さ１１４に沿った、負荷に応じて座屈が最も発生しやすい場所（例えば、支持構造物１０４から離間した場所、又は支持構造物１０４の隣接対の間の場所）において、狭長構造物１０２の、局所的質量２４０が（例えば最大質量２６８まで）増大する部分が選択される。同様に、狭長構造物１０２の長さ１１４に沿った、負荷に応じて座屈が最も発生しにくい場所（例えば、支持構造物１０４の近位）において、狭長構造物１０２の、局所的質量２４０が（例えば最小質量２６６まで）減少する部分が選択される。狭長構造物１０２の最小質量２６６と最大質量２６８の場所がこのように選択されることで、構造荷重を支持することが必要なところで質量２３８が増大し、構造荷重を支持することが必要ではないところで質量２３８が減少することにより、狭長構造物１０２の材料及び重量、並びに、構造アセンブリ１００に印加される荷重に反応するのに十分な重量比強度要件の、最適化が有利に可能になる。
【００２７】
一部の例では、狭長構造物１０２の体積２７４は、狭長構造物１０２の長さ１１４に沿って変動可能である（例えば、可変体積を含む）。換言すると、狭長構造物１０２の局所的体積２７６は、狭長構造物１０２の長さ１１４の一又は複数の部分の端から端までにおいて変動する。この開示においては、「局所的体積（ｌｏｃａｌｉｚｅｄ  ｖｏｌｕｍｅ）」という語は、狭長構造物１０２の長さ１１４に沿ったある特定の領域、エリア、又は場所における、狭長構造物１０２の体積２７４のことである。一部の例では、体積２７４は、狭長構造物１０２の長さ１１４に沿って、絶えず変動する。一部の例では、体積２７４は、狭長構造物１０２のある長さに沿って局所的体積２７６が不変な部分と、同じ狭長構造物１０２の別の部分の（例えば異なる）長さに沿って局所的体積２７６が可変な部分の、両方を有する。
【００２８】
一部の例では、支持構造物１０４の近位で（例えば、支持構造物１０４のところ又はその付近で）、狭長構造物１０２の体積２７４は減少するか又は低減される。一例では、支持構造物１０４の近位又は支持構造物１０４のところにおける狭長構造物１０２の局所的体積２７６は、狭長構造物１０２の最小局所的体積（本書では最小体積２７８とも称される）となるか、又はかかる最小局所的体積を画定する。
【００２９】
一部の例では、支持構造物１０４から、狭長構造物１０２の長さ１１４に沿った支持構造物１０４から離間している場所に至るまで、狭長構造物１０２の体積２７４は増大する。一例では、支持構造物１０４のから離間したところにおける狭長構造物１０２の局所的体積２７６は、狭長構造物１０２の最大局所的体積（本書では最大体積２８０とも称される）となるか、又はかかる最大局所的体積を画定する。
【００３０】
一部の例では、狭長構造物１０２と支持構造物１０４の対の少なくとも１方との交差部又は接合部における、狭長構造物１０２の局所的体積２７６は、狭長構造物１０２の最小体積２７８となるか、又は最小体積２７８を画定する。一部の例では、支持構造物１０４の対の途中地点における狭長構造物１０２の局所的体積２７６は、狭長構造物１０２の最大体積２８０となるか、又は最大体積２８０を画定する。
【００３１】
一部の例では、狭長構造物１０２の長さ１１４に沿った、負荷に応じて座屈が最も発生しやすい場所（例えば、支持構造物１０４から離間した場所、又は支持構造物１０４の隣接対の間の場所）において、狭長構造物１０２の、局所的体積２７６が（例えば最大体積２８０まで）増大する部分が選択される。同様に、狭長構造物１０２の長さ１１４に沿った、負荷に応じて座屈が最も発生しにくい場所（例えば、支持構造物１０４の近位）において、狭長構造物１０２の、局所的体積２７６が（例えば最小体積２７８まで）減少する部分が選択される。狭長構造物１０２の最小体積２７８と最大体積２８０の場所がこのように選択されることで、構造荷重を支持することが必要なところで体積２７４が増大し、構造荷重を支持することが必要ではないところで質量２７４が減少することにより、狭長構造物１０２の材料要件及びスペース要件、並びに、構造アセンブリ１００に印加される荷重に反応するのに十分な重量比強度要件の、最適化が有利に可能になる。
【００３２】
一部の例では、狭長構造物１０２の長さ１１４に沿って狭長構造物１０２の高さ１１０が変動することにより、可変質量２３８と可変体積２７４の少なくとも一方が実現又は達成される。換言すると、狭長構造物１０２の局所的高さ２４２は、狭長構造物１０２の長さ１１４の一又は複数の部分の端から端までにおいて変動する。この開示においては、「局所的高さ（ｌｏｃａｌｉｚｅｄ  ｈｅｉｇｈｔ）」という語は、狭長構造物１０２の長さ１１４に沿った、ある特定の領域、エリア、又は断面上の場所における、狭長構造物１０２の高さ１１０のことである。一部の例では、高さ１１０は、狭長構造物１０２の長さ１１４に沿って、絶えず変動する。一部の例では、高さ１１０は、狭長構造物１０２のある長さに沿って局所的高さ２４２が不変な部分と、同じ狭長構造物１０２の別の部分の（例えば異なる）長さに沿って局所的高さ２４２が可変な部分の、両方を有する。
【００３３】
一部の例では、狭長構造物１０２の質量２３８と体積２７６の少なくとも一方を減少させるために、支持構造物１０４の近位で（例えば、支持構造物１０４のところ又はその付近で）、狭長構造物１０２の高さ１１０は減少するか又は低減される。一例では、支持構造物１０４の近位又は支持構造物１０４のところにおける狭長構造物１０２の局所的高さ２４２は、狭長構造物１０２の最小体積２６６に対応する、狭長構造物１０２の最小局所的高さ（本書では最小高さ１１６とも称される）となるか、又はかかる最小局所的高さを画定する。
【００３４】
一部の例では、狭長構造物１０２の質量２３８と体積２７６の少なくとも一方を増大させるために、支持構造物１０４から、狭長構造物１０２の長さ１１４に沿った支持構造物１０４から離間している場所に至るまで、狭長構造物１０２の高さ１１０は増大する。一例では、支持構造物１０４から離間したところにおける狭長構造物１０２の局所的高さ２４２は、狭長構造物１０２の最大質量２６８に対応する、狭長構造物１０２の最大局所的高さ（本書では最大高さ１１８とも称される）となるか、又はかかる最大局所的高さを画定する。
【００３５】
一部の例では、狭長構造物１０２の長さ１１４に沿って狭長構造物１０２の幅２４４が変動することにより、可変質量２３８と可変体積２７４の少なくとも一方が実現又は達成される。換言すると、狭長構造物１０２の局所的幅２４６は、狭長構造物１０２の長さ１１４の一又は複数の部分の端から端までにおいて変動する。この開示においては、「局所的幅（ｌｏｃａｌｉｚｅｄ  ｗｉｄｔｈ）」という語は、狭長構造物１０２の長さ１１４に沿った、ある特定の領域、エリア、又は断面上の場所における、狭長構造物１０２の幅２４４のことである。一部の例では、幅２４４は、狭長構造物１０２の長さ１１４に沿って、絶えず変動する。一部の例では、幅２４４は、狭長構造物１０２のある長さに沿って局所的幅２４６が不変な部分と、同じ狭長構造物１０２の別の部分の（例えば異なる）長さに沿って局所的幅２４６が可変な部分の、両方を有する。
【００３６】
一部の例では、狭長構造物１０２の質量２３８と体積２７６の少なくとも一方を減少させるために、支持構造物１０４の近位で（例えば、支持構造物１０４のところ又はその付近で）、狭長構造物１０２の幅２４４は減少するか又は低減される。一例では、支持構造物１０４の近位又は支持構造物１０４のところにおける狭長構造物１０２の局所的幅２４６は、狭長構造物１０２の最小質量２６６に対応する、狭長構造物１０２の最小局所的幅（本書では最小幅とも称される）となるか、又はかかる最小局所的幅を画定する。
【００３７】
一部の例では、狭長構造物１０２の質量２３８と体積２７６の少なくとも一方を増大させるために、支持構造物１０４から、狭長構造物１０２の長さ１１４に沿った支持構造物１０４から離間している場所に至るまで、狭長構造物１０２の幅２４４は増大する。一例では、支持構造物１０４から離間したところにおける狭長構造物１０２の局所的幅２４４は、狭長構造物１０２の最大質量２６８に対応する、狭長構造物１０２の最大局所的幅（本書では最大幅とも称される）となるか、又はかかる最大局所的幅を画定する。
【００３８】
一部の例では、狭長構造物１０２はウェブ１２０を含む。通常、ウェブ１２０は、パネル構造物１０８に対して直角に配向される。ウェブ１２０はウェブ高さ１２４とウェブ肉厚２５４とを有する。ウェブ高さ１２４は、少なくとも部分的に、狭長構造物１０２の高さ１１０を画定する。
【００３９】
この開示においては、別のアイテムに対するアイテムの場所、位置、及び／又は配向に関連する語（例えば直角、平行、及び類似の語）は、場所、位置、及び／又は配向が正確に（正確であると認知されうる程度に）記載のとおりである条件と、場所、位置、及び／又は配向がおおよそ記載のとおりである条件の、両方を含む。この開示においては、「おおよそ（ａｐｐｒｏｘｉｍａｔｅｌｙ）」という語は、記載されている条件に近いが、正確にはそうではない条件であって、それでも望ましい機能を実施するか又は望ましい結果を実現する、条件を表わすか又は表現するものである。例えば、「おおよそ」という語は、記載されている条件と１０％未満しかずれていない、条件を表わしうる。
【００４０】
一部の例では、狭長構造物１０２の長さ１１４に沿ってウェブ１２０のウェブ高さ１２４が変動することにより、可変質量２３８と可変体積２７４の少なくとも一方が実現又は達成される。換言すると、ウェブ１２０の局所的ウェブ高さ２５２は、狭長構造物１０２の長さ１１４の一又は複数の部分の端から端までにおいて変動する。この開示においては、「局所的ウェブ高さ（ｌｏｃａｌｉｚｅｄ  ｗｅｂ  ｈｅｉｇｈｔ）」という語は、狭長構造物１０２の長さ１１４に沿った、ある特定の領域、エリア、又は断面上の場所における、ウェブ１２０のウェブ高さ１２４のことである。一部の例では、ウェブ高さ１２４は、狭長構造物１０２の長さ１１４に沿って、絶えず変動する。一部の例では、ウェブ高さ１２４は、狭長構造物１０２のある長さに沿って局所的ウェブ高さ２５２が不変な部分と、同じ狭長構造物１０２の別の部分の（例えば異なる）長さに沿って局所的ウェブ高さ２５２が可変な部分の、両方を有する。
【００４１】
一部の例では、狭長構造物１０２の質量２３８と体積２７６の少なくとも一方を減少させるために、支持構造物１０４の近位で（例えば、支持構造物１０４のところ又はその付近で）、狭長構造物１０２のウェブ１２０のウェブ高さ１２４は減少するか又は低減される。一例では、支持構造物１０４の近位又は支持構造物１０４のところにおける、ウェブ１２０の局所的ウェブ高さ２５２は、狭長構造物１０２の最小質量２６６に対応する、狭長構造物１０２の最小局所的ウェブ高さ（本書では最小ウェブ高さ１３２とも称される）となるか、又はかかる最小局所的ウェブ高さを画定する。
【００４２】
一部の例では、狭長構造物１０２の質量２３８と体積２７６の少なくとも一方を増大させるために、支持構造物１０４から、狭長構造物１０２の長さ１１４に沿った支持構造物１０４から離間している場所に至るまで、狭長構造物１０２のウェブ１２０の高さ１２４は増大する。一例では、支持構造物１０４から離間したところにおけるウェブ１２０の局所的ウェブ高さ２５２は、狭長構造物１０２の最大質量２６８に対応する、狭長構造物１０２の最大局所的ウェブ高さ（本書では最大ウェブ高さ１３４とも称される）となるか、又はかかる最大局所的ウェブ高さを画定する。
【００４３】
一部の例では、狭長構造物１０２の長さ１１４に沿ってウェブ１２０のウェブ肉厚２５４が変動することにより、可変質量２３８と可変体積２７４の少なくとも一方が実現又は達成される。換言すると、ウェブ１２０の局所的ウェブ肉厚２５６は、狭長構造物１０２の長さ１１４の一又は複数の部分の端から端までにおいて変動する。この開示においては、「局所的ウェブ肉厚（ｌｏｃａｌｉｚｅｄ  ｗｅｂ  ｔｈｉｃｋｎｅｓｓ）」という語は、狭長構造物１０２の長さ１１４に沿った、ある特定の領域、エリア、又は断面上の場所における、ウェブ１２０のウェブ肉厚のことである。一部の例では、ウェブ肉厚２５４は、狭長構造物１０２の長さ１１４に沿って、絶えず変動する。一部の例では、ウェブ肉厚２５４は、狭長構造物１０２のある長さに沿って局所的ウェブ肉厚２５６が不変な部分と、同じ狭長構造物１０２の別の部分の（例えば異なる）長さに沿って局所的ウェブ肉厚２５６が可変な部分の、両方を有する。
【００４４】
一部の例では、狭長構造物１０２の質量２３８と体積２７６の少なくとも一方を減少させるために、支持構造物１０４の近位で（例えば、支持構造物１０４のところ又はその付近で）、狭長構造物１０２のウェブ１２０のウェブ肉厚２５４は減少するか又は低減される。一例では、支持構造物１０４の近位又は支持構造物１０４のところにおけるウェブ１２０の局所的ウェブ肉厚２５６は、狭長構造物１０２の最小質量２６６に対応する、狭長構造物１０２の最小局所的ウェブ肉厚（本書では最小ウェブ肉厚２７０とも称される）となるか、又はかかる最小局所的ウェブ肉厚を画定する。
【００４５】
一部の例では、狭長構造物１０２の質量２３８と体積２７６の少なくとも一方を増大させるために、支持構造物１０４から、狭長構造物１０２の長さ１１４に沿った支持構造物１０４から離間している場所に至るまで、狭長構造物１０２のウェブ１２０のウェブ肉厚２５４は増大する。一例では、支持構造物１０４から離間したところにおけるウェブ１２０の局所的ウェブ肉厚２５６は、狭長構造物１０２の最大局所的質量に対応する、狭長構造物１０２の最大局所的ウェブ肉厚（本書では最大ウェブ肉厚２７２とも称される）となるか、又はかかる最大局所的ウェブ肉厚を画定する。
【００４６】
一部の例では、狭長構造物１０２は、下側フランジ１２２と上側フランジ１２８の少なくとも一方を含む。一部の例では、ウェブ１２０は、下側フランジ１２２に連結され、かつ下側フランジ１２２から延在する。一部の例では、ウェブ１２０は、下側フランジ１２２と上側フランジ１２８との間に連結され、かつ、下側フランジ１２２と上側フランジ１２８との間から延在する。下側フランジ１２２は下側フランジ幅１４４を有し、上側フランジ１２８は上側フランジ幅１４６を有する。狭長構造物１０２の幅２４４は、少なくとも部分的に、下側フランジ幅１４４及び／又は上側フランジ幅１４６の一方によって画定される。この開示においては、相対的な語（例えば「下側（ｌｏｗｅｒ）」、「ベース（ｂａｓｅ）」、「上側（ｕｐｐｅｒ）」、「上部（ｔｏｐ）」、「底部（ｂｏｔｔｏｍ）」など）は、例えば対応する図に示している、アイテムの相対的な位置及び／又は配向を表わすことに、留意すべきである。
【００４７】
一部の例では、狭長構造物１０２の長さ１１４に沿って、狭長構造物１０２の下側フランジ幅１４４と上側フランジ幅１４６の少なくとも一方が変動することにより、可変質量２３８と可変体積２７６の少なくとも一方が実現又は達成される。換言すると、局所的下側フランジ幅２４８及び／又は局所的上側フランジ幅２５０は、狭長構造物１０２の長さ１１４の一又は複数の部分の端から端までにおいて変動する。この開示においては、「局所的下側フランジ幅（ｌｏｃａｌｉｚｅｄ  ｌｏｗｅｒ  ｆｌａｎｇｅ  ｗｉｄｔｈ）」及び「局所的上側フランジ幅（ｌｏｃａｌｉｚｅｄ  ｕｐｐｅｒ  ｆｌａｎｇｅ  ｗｉｄｔｈ）」という語は、狭長構造物１０２の長さ１１４に沿った、ある特定の領域、エリア、又は断面上の場所における、下側フランジ１２２と上側フランジ１２８のそれぞれの幅のことである。一部の例では、下側フランジ幅１４４及び／又は上側フランジ幅１４６は、狭長構造物１０２の長さ１１４に沿って、絶えず変動する。一部の例では、下側フランジ幅１４４及び／又は上側フランジ幅１４６は、狭長構造物１０２のある長さに沿って局所的下側フランジ幅２４８及び／又は局所的上側フランジ幅２５０が不変な部分と、同じ狭長構造物１０２の別の部分の（例えば異なる）長さに沿って局所的下側フランジ幅２４８及び／又は局所的上側フランジ幅２５０が可変な部分の、両方を有する。
【００４８】
一部の例では、狭長構造物１０２の質量２３８と体積２７４の少なくとも一方を減少させるために、支持構造物１０４の近位で（例えば、支持構造物１０４のところ又はその付近で）、狭長構造物１０２の下側フランジ幅１４４及び／又は上側フランジ幅１４６は減少するか、又は低減される。一例では、支持構造物１０４の近位又は支持構造物１０４のところにおける、狭長構造物１０２の局所的下側フランジ幅２４８及び／又は局所的上側フランジ幅２５０は、狭長構造物１０２の最小質量２６６に対応する、狭長構造物１０２の最小局所的下側フランジ幅（本書では最小下側フランジ幅とも称される）及び／又は最小局所的上側フランジ幅（本書では最小上側フランジ幅とも称される）となるか、又はかかる最小局所的下側フランジ幅及び／又は最小局所的上側フランジ幅を画定する。
【００４９】
一部の例では、狭長構造物１０２の質量２３８と体積２７６の少なくとも一方を増大させるために、支持構造物１０４から、狭長構造物１０２の長さ１１４に沿った支持構造物１０４から離間している場所に至るまで、狭長構造物１０２の下側フランジ幅１４４及び／又は上側フランジ幅１４６は増大する。一例では、支持構造物１０４から離間したところにおける、狭長構造物１０２の局所的下側フランジ幅２４８及び／又は局所的上側フランジ幅２５０は、狭長構造物１０２の最大局所的質量に対応する、狭長構造物１０２の最大局所的下側フランジ幅（本書では最大下側フランジ幅とも称される）及び／又は最大局所的上側フランジ幅（本書では最大上側フランジ幅とも称される）となるか、又はかかる最大局所的下側フランジ幅及び／又は最大局所的上側フランジ幅を画定する。
【００５０】
図２は、構造アセンブリ１００の外側の一例の一部分を示しており、図３は、構造アセンブリ１００の内側の一例の一部分を示している。構造アセンブリ１００は、複数の狭長構造物１０２（個別に狭長構造物１０２とも称される）と、複数の支持構造物１０４（個別に支持構造物１０４とも称される）とを含み、これらが、構造アセンブリ１００の枠組みを形成する。換言すると、狭長構造物１０２及び支持構造物１０４が、構造アセンブリ１００の骨組み構造を形成する。狭長構造物１０２及び支持構造物１０４によって形成された枠組みは、複数のパネル構造物１０８（個別にパネル構造物１０８とも称される）といった外側材料で覆われうる。
【００５１】
一部の例では、パネル構造物１０８は、狭長構造物１０２及び支持構造物１０４と動作可能に連結される。一部の例では、パネル構造物１０８は、ファスナ１０６のアレイを介して、狭長構造物１０２及び支持構造物１０４と動作可能に連結される。一部の例では、狭長構造物１０２は、支持構造物１０４と動作可能に連結される。一部の例では、狭長構造物１０２と支持構造物１０４とは、一又は複数の装着クリップを使用して、動作可能にひとまとめに連結される。
【００５２】
構造アセンブリ１００を形成する構造部材は、多種多様な材料から形成されうる。一部の例では、狭長構造物１０２、支持構造物１０４、及び／又はパネル構造物１０８は、金属材料（アルミニウム、鋼、又はチタニウムなど）から作製される。一部の例では、狭長構造物１０２、支持構造物１０４、及び／又はパネル構造物１０８は、直角配向に配向された強化繊維の複数の層を有する強化ポリマーベースの材料（繊維強化型複合物など）といった、非金属材料から作製される。
【００５３】
図４は、航空機１２００の一例を示している。航空機１２００は、一又は複数の構造アセンブリ１００（図１）を利用して少なくとも部分的に構築された、構造物２３２（図１の輸送体構造物２３４など）の一例である。この実施例では、航空機１２００は固定翼航空機である。航空機１２００は、機体１２０２と、複数の高次システム１２０４とを含む。高次システム１２０４の例は、推進システム１２０８、電気システム１２１０、液圧システム１２１２、環境システム１２１４、及び通信システム１２１６のうちの、一又は複数を含む。他の例では、航空機１２００は、任意の数の他の種類のシステムを含みうる。
【００５４】
航空機１２００は、航空機１２００の枠組みを形成する、複数の構造アセンブリ１００（個別に構造アセンブリ１００とも称される）を含む。換言すると、狭長構造物１０２及び支持構造物１０４が、機体１２０２の骨組み構造を形成する。
【００５５】
一例では、機体１２０２は、航空機１２００の胴体１２１８を含むか又は形成する。胴体１２１８は、航空機１２００の内部１２０６を画定する、航空機１２００の主要本体である。内部１２０６は、旅客用区画及び／又は貨物用区画を含んでよく、かつ、乗員、一又は複数の旅客、及び／又は貨物を保持するよう構成されている、任意の好適な中心フレーム構造物を含む。この実施例では、胴体１２１８は、狭長型で、概して円筒形の胴体である。
【００５６】
一例では、胴体１２１８は、航空機１２００の前端部にノーズ部１２２２を含み、航空機１２００の後端部に尾部１２２４を含む。この開示においては、「前方（ｆｏｒｗａｒｄ）」及び「後方（ａｆｔ）」という語は、当業者には既知の、これらの元々の意味を有しており、航空機１２００の移動方向に対する位置を表わす。一部の例では、尾部１２２４は、少なくとも１つの垂直安定板１２２６及び／又は少なくとも１つの水平安定板１２２８も含む。
【００５７】
一部の例では、（図２及び図３に示しているような）構造アセンブリ１００は、航空機１２００の胴体１２１８の一部分であるか、又は胴体１２１８の一部分を形成する。このような例では、狭長構造物１０２は、胴体１２１８の補剛構造部材であり、一般にストリンガ又はスティフナと称される。支持構造物１０４は、胴体１２１８の主要構造部材であり、一般にフレーム又は形成部材と称される。パネル構造物１０８は、胴体１２１８の外板であり、一般に外板パネルと称される。狭長構造物１０２は、互いに概して平行に配向され、胴体１２１８の長手方向軸に概して平行に延在する。支持構造物１０４は、胴体１２１８の長手方向軸の周囲を取り囲むように延在し、かつ胴体１２１８の長手方向軸に沿って離間している、環状フープを含む。
【００５８】
機体１２０２は更に、翼の対１２２０（個別に翼１２２０とも称される）を含むか、又は翼の対１２２０を形成する。翼１２２０の各々は、胴体１２１８に連結される。各翼１２２０は、航空機１２００に揚力を提供するよう構成されている、任意の好適な翼部構造を含む。この実施例では、翼１２２０は、胴体１２１８の下部から後退翼の先細プラットフォームで延在する、狭長構造物である。他の例では、翼１２２０は真っ直ぐであるか、又はデルタ形状である。更に別の例では、翼１２２０は、台形構成、コンスタント構成、楕円構成、半楕円構成、又は、当該技術分野において既知のその他の構成である。
【００５９】
一部の例では、（図２及び図３に示しているような）構造アセンブリ１００は、航空機１２００の翼１２２０の一部分であるか、又は翼１２２０の一部分を形成する。このような例では、狭長構造物１０２は、翼１２２０の補剛構造部材であり、一般にストリンガ又はスティフナと称される。支持構造物１０４は、翼１２２０の構造部材であり、一般にリブと称される。パネル構造物１０８は、翼１２２０の外板であり、一般に外板パネルと称される。狭長構造物１０２は、互いに概して平行に配向され、翼１２２０の翼長方向軸に概して平行に延在する。支持構造物１０４は、互いに概して平行に配向され、翼１２２０の翼弦方向軸に概して平行に延在し、かつ、翼１２２０の翼長方向軸に沿って離間している。
【００６０】
通常、航空機１２００は、機体１２０２、胴体１２１８、翼１２２０、垂直安定板１２２６、水平安定板１２２８、及び、航空機１２００のその他の構造物を形成する、様々な構造部材を含む。かかる構造部材の例は、形成物、リブ、ストリンガ、スパー、ロンジロン、外板パネル、及び他の種類の部品を含む。このような構造部材は、様々な種類のファスナによる接続、共硬化、構造接合（接着剤接合など）、又は一体型形成を含むがこれらに限定されるわけではない、様々な方法のうちの任意のものによって、ひとまとめに連結される。
【００６１】
更に別の例では、（図２及び図３に示しているような）構造アセンブリ１００は、別の種類の輸送体構造物２３４又はスタンドアロン構造物２３６の一部分であるか、又はかかる構造物の一部分を形成する。一例では、狭長構造物１０２は、構造アセンブリ１００の支持構造物１０４の間に延在し、支持構造物１０４と交差し、かつ／又は支持構造物１０４と接合される、任意の構造的構成要素又は構造部材である。図５は、狭長構造物１０２を含む本開示の構造アセンブリ１００の一例の一部分と、パネル構造物１０８の一部分とを示している。一例では、狭長構造物１０２は、下側フランジ１２２（第１フランジ、ベースフランジ、又は底部フランジとも称される）、ウェブ１２０、及び上側フランジ１２８（第２フランジ、端部フランジ、又は上部フランジとも称される）を含む。
【００６２】
ウェブ１２０は、下側フランジ１２２と上側フランジ１２８との間に配置される。上側フランジ１２８は、下側フランジ１２２の反対側にある。ウェブ１２０は、狭長構造物１０２の長さ１１４（図１）にわたり延在する。ウェブ１２０はウェブ高さ１２４を有する。ある状況においては、ウェブ高さ１２４は、一般にウェブ深さと称されることもある。ウェブ高さ１２４は、上側フランジ１２８の上側フランジ底面１３６と、下側フランジ１２２の下側フランジ上面１３８との間に延在するか、又は、底面１３６と上面１３８との間の距離によって画定される。ウェブ高さ１２４の形状寸法は、構造アセンブリ１００に印加される負荷に対する望ましい耐性を提供するように、構成されうるか又は「設計され（ｄｅｓｉｇｎｅｄ）」うる。
【００６３】
一部の例では、ウェブ１２０のウェブ高さ１２４は、狭長構造物１０２の長さ１１４（図１）に沿って変動可能である（例えば、可変高さを含む）。換言すると、ウェブ高さ１２４は、狭長構造物１０２の長さ１１４の一又は複数の部分の端から端までにおいて変動する。一部の例では、ウェブ高さ１２４は、狭長構造物１０２の長さ１１４に沿って、絶えず変動する。一部の例では、ウェブ高さ１２４は、狭長構造物１０２のある長さに沿って不変の高さ部分と、同じ狭長構造物１０２の別の長さに沿って可変な高さ部分の、両方を有する。
【００６４】
一部の例では、ウェブ１２０のウェブ高さ１２４は、狭長構造物１０２の最小高さ１１６に対応する、狭長構造物１０２の長さ１１４に沿った一又は複数の場所において、最小ウェブ高さ１３２となるか、又は最小ウェブ高さ１３２を画定する。ウェブ１２０のウェブ高さ１２４は、狭長構造物１０２の最大高さ１１８に対応する、狭長構造物１０２の長さ１１４に沿った一又は複数の場所において、最大ウェブ高さ１３４となるか、又は最小ウェブ高さ１３４を画定する。
【００６５】
一部の例では、最小ウェブ高さ１３２は、狭長構造物１０２の最小質量２６６に対応する。一部の例では、最小ウェブ高さ１３２は、狭長構造物１０２の最小体積２７８に対応する。
【００６６】
一部の例では、例えば、狭長構造物１０２の幅２４４及び／又はウェブ１２０のウェブ肉厚２５４を相応的に減少させることによって、最大ウェブ高さ１３４が狭長構造物１０２の最小質量２６６に対応する。一部の例では、例えば、狭長構造物１０２の幅２４４及び／又はウェブ１２０のウェブ肉厚２５４を相応的に減少させることによって、最大ウェブ高さ１３４が狭長構造物１０２の最小体積２８０に対応する。
【００６７】
一部の例では、最大ウェブ高さ１３４は、狭長構造物１０２の最大質量２６８に対応する。一部の例では、最大ウェブ高さ１３４は、狭長構造物１０２の最大体積２８０に対応する。
【００６８】
一部の例では、例えば、狭長構造物１０２の幅２４４及び／又はウェブのウェブ肉厚２５４を相応的に増大させることによって、最小ウェブ高さ１３２が狭長構造物１０２の最大質量２６８に対応する。一部の例では、例えば、狭長構造物１０２の幅２４４及び／又はウェブのウェブ肉厚２５４を相応的に増大させることによって、最小ウェブ高さ１３２が狭長構造物１０２の最大体積２８０に対応する。
【００６９】
一部の例では、ウェブ１２０のウェブ肉厚２５４は、狭長構造物１０２の長さ１１４（図１）に沿って変動可能である（例えば、可変肉厚を含む）。換言すると、ウェブ肉厚２５４は、狭長構造物１０２の長さ１１４の一又は複数の部分の端から端までにおいて変動する。一部の例では、ウェブ肉厚２５４は、狭長構造物１０２の長さ１１４に沿って、絶えず変動する。一部の例では、ウェブ肉厚２５４は、狭長構造物１０２のある長さに沿って不変の高さ部分と、同じ狭長構造物１０２の別の長さに沿って可変な高さ部分の、両方を有する。
【００７０】
一部の例では、ウェブ１２０のウェブ肉厚２５４は、狭長構造物１０２の長さ１１４に沿った一又は複数の場所において、最小ウェブ肉厚２７０となるか、又は最小ウェブ肉厚２７０を画定する。ウェブのウェブ肉厚２５４は、狭長構造物１０２の長さ１１４に沿った一又は複数の別の場所において、最大ウェブ肉厚２７２となるか、又は最大ウェブ肉厚２７２を画定する。
【００７１】
一部の例では、最小ウェブ肉厚２７０は、狭長構造物１０２の最小高さ１１６に対応する。一部の例では、最小ウェブ肉厚２７０は、ウェブ１２０の最小ウェブ高さ１３２に対応する。
【００７２】
一部の例では、最小ウェブ肉厚２７０は、狭長構造物１０２の最大高さ１１８に対応する。一部の例では、最小ウェブ肉厚２７０は、ウェブ１２０の最大ウェブ高さ１３４に対応する。
【００７３】
一部の例では、最大ウェブ肉厚２７２は、狭長構造物１０２の最小高さ１１６に対応する。一部の例では、最大ウェブ肉厚２７２は、ウェブ１２０の最小ウェブ高さ１３２に対応する。
【００７４】
一部の例では、最大ウェブ肉厚２７２は、狭長構造物１０２の最大高さ１１８に対応する。一部の例では、最大ウェブ肉厚２７２は、ウェブ１２０の最大ウェブ高さ１３４に対応する。
【００７５】
一部の例では、最小ウェブ肉厚２７０は、狭長構造物１０２の最小質量２６６に対応する。一部の例では、最小ウェブ肉厚２７０は、狭長構造物１０２の最小体積２７４に対応する。
【００７６】
一部の例では、例えば、狭長構造物１０２の幅２４４及び／又はウェブ１２０のウェブ高さ１２４を相応的に減少させることによって、最大ウェブ肉厚２７２が狭長構造物１０２の最小質量２６６に対応する。一部の例では、例えば、狭長構造物１０２の幅２４４及び／又はウェブ１２０のウェブ肉厚１２４を相応的に減少させることによって、最大ウェブ肉厚２７２が狭長構造物１０２の最小体積２７８に対応する。
【００７７】
一部の例では、最大ウェブ肉厚２７２は、狭長構造物１０２の最大質量２６８に対応する。一部の例では、最大ウェブ肉厚２７２は、狭長構造物１０２の最大体積２７４に対応する。
【００７８】
一部の例では、例えば、狭長構造物１０２の幅２４４及び／又はウェブ１２０のウェブ高さ１２４を相応的に増大させることによって、最小ウェブ肉厚２７０が狭長構造物１０２の最大質量２３８に対応する。一部の例では、例えば、狭長構造物１０２の幅２４４及び／又はウェブ１２０のウェブ高さ１２４を相応的に減少させることによって、最小ウェブ肉厚２７０が狭長構造物１０２の最大体積２８０に対応する。
【００７９】
一例では、下側フランジ１２２及び上側フランジ１２８は、概して平面の部材を含む。一例では、上側フランジ上面１４０は概して平面である。同様に、一例では、下側フランジ底面１４２は概して平らである。あるいは、他の例では、上側フランジ上面１４０及び／又は下側フランジ底面１４２の一方又は両方が、非平面でありうる。
【００８０】
一部の例では、横座屈によるウェブ１２０の局所的不具合に対する耐性を提供するために、下側フランジ１２２及び／又は上側フランジ１２８のフランジ部は、ウェブ１２０の一方又は両方の長手方向エッジに配置されうる。例えば、下側フランジ１２２のフランジ部により、パネル構造物１０８及び／又は支持構造物１０４のための取り付け面が提供されることで、狭長構造物１０２がパネル構造物１０８及び／又は支持構造物１０４に連結されることが、更に可能になる。狭長構造物１０２は、荷重を支えかつ／又は伝達するのにも役立ちうる。例えば、狭長構造物１０２は、パネル構造物１０８から別の構造物（支持構造物１０４など）に荷重を伝達しうる。
【００８１】
翼長又は狭長構造物１０２の長さ１１４に沿って（すなわち、図５のページの中に向かって）、下側フランジ１２２は下側フランジ幅１４４を有し、上側フランジ１２８は上側フランジ幅１４６を有する。一部の例では、下側フランジ幅１４４及び／又は上側フランジ幅１４６の一方又は両方が、狭長構造物１０２の長さ１１４に沿って不変である（例えば不変幅を含む）。一部の例では、下側フランジ幅１４４及び／又は上側フランジ幅１４６の一方又は両方が、狭長構造物１０２の長さ１１４に沿って変動可能である（例えば、可変幅を含む）。換言すると、下側フランジ幅１４４及び／又は上側フランジ幅１４６の一方又は両方は、狭長構造物１０２の長さ１１４の一又は複数の部分の端から端までにおいて変動する。一部の例では、下側フランジ幅１４４及び／又は上側フランジ幅１４６の一方又は両方は、狭長構造物１０２の長さ１１４に沿って、絶えず変動する。一部の例では、下側フランジ幅１４４及び／又は上側フランジ幅１４６の一方又は両方は、狭長構造物１０２のある長さに沿って不変幅の部分と、同じ狭長構造物１０２の別の長さに沿って可変幅の部分の、両方を有する。
【００８２】
一部の例では、図示しているように、上側フランジ幅１４６は、狭長構造物１０２の全高（すなわち高さ１１０）又はウェブ１２０のウェブ高さ１２４と比較して相対的に狭い（例えば、高さ１１０又はウェブ高さ１２４よりも相対的に短い）。一部の例では、図示しているように、上側フランジ幅１４６は、下側フランジ幅１４４と比較して相対的に狭い（例えば、下側フランジ幅１４４よりも相対的に短い）。しかし、他の例では、代替的な相対幅が使用されうる。
【００８３】
一部の例では、下側フランジ幅１４４は、構造アセンブリ１００にかかる負荷、又は狭長構造物１０２の少なくとも１つの部分（例えばパネル構造物１０８と下側フランジ１２２との間、例としては、パネル構造物１０８と下側フランジ部のうちの１つとの間）にかかる負荷の、関数でありうる。一部の例では、上側フランジ幅１４６は、構造アセンブリ１００にかかる負荷、又は狭長構造物１０２の少なくとも１つの部分（例えば、上側フランジ部のうちの１つ）にかかる負荷の、関数でありうる。
【００８４】
一例では、図５に示しているように、下側フランジ１２２は、第１下側フランジ部１４８及び第２下側フランジ部１５０を含む。第１下側フランジ部１４８と第２下側フランジ部１５０は両方とも、ウェブ１２０の下側エリア１５２（例えばベース）から離れる方向に延在する。一例では、第１下側フランジ部１４８及び第２下側フランジ部１５０は、ウェブ１２０の両側に、横方向に外側に向かって延在する。
【００８５】
一例では、第１下側フランジ部１４８は第１下側フランジ部幅１５４を有し、第２下側フランジ部１５０は第２下側フランジ部幅１５６を有する。通常、第１下側フランジ部幅１５４と第２下側フランジ部幅１５６とは、ひとつになって、下側フランジ幅１４４を画定する。
【００８６】
一部の例では、図示しているように、第１下側フランジ部１４８と第２下側フランジ部１５０は両方とも、共通の平面に沿って、横方向に延在する。あるいは、別の一部の例では、非平面の下側フランジ部構成も使用されうる。一部の例では、狭長構造物１０２は、２を上回る数の下側フランジ部を含む。
【００８７】
一部の例では、第１下側フランジ部幅１５４と第２下側フランジ部幅１５６とは、概して又はおおよそ等しい。あるいは、一部の例では、第１下側フランジ部幅１５４と第２下側フランジ部幅１５６とは等しくなく、狭長構造物１０２の長さ１１４の別々の部分に沿ったところでは異なる。
【００８８】
一部の例では、第１下側フランジ部幅１５４が、狭長構造物１０２の長さ１１４の少なくとも１つの部分に沿って変動可能である（例えば、可変幅を含む）一方、反対側の第２下側フランジ部幅１５６は、狭長構造物の長さ１１４の少なくとも１つの部分に沿って不変である（例えば不変幅を含む）か、又はその逆である。一部の例では、第１下側フランジ部幅１５４と第２下側フランジ部幅１５６は両方とも、狭長構造物１０２の長さ１１４の少なくとも１つの部分に沿って変動可能である（例えば、可変幅を含む）。
【００８９】
一部の例では、狭長構造物１０２の下側フランジ１２２は、単一の下側フランジ部だけ（例えば、第１下側フランジ部１４８だけか、又は第２下側フランジ部１５０だけ）を含む。１つの下側フランジ部だけ（例えば第１下側フランジ部１４８など）を含む下側フランジ１２２を含む狭長構造物１０２の一部の例では、かかる単一の下側フランジ部は不変幅を有しうる。例えば、かかる単一の下側フランジ部は、狭長構造物１０２の長さ１１４の全体にわたり、不変幅を有しうる。１つの下側フランジ部だけ（例えば第１下側フランジ部１４８など）を含む下側フランジ１２２を含む狭長構造物１０２の一部の例では、かかる単一の下側フランジ部は可変幅を有しうる。例えば、かかる単一の下側フランジ部は、狭長構造物１０２の長さ１１４の少なくとも１つの部分に沿って、又は狭長構造物１０２の長さ１１４の全体にわたり、可変幅を有しうる。
【００９０】
一部の例では、狭長構造物１０２の下側フランジ１２２は、狭長構造物１０２の長さ１１４のある部分に沿った第１下側フランジ部１４８を含み、かつ、狭長構造物１０２の長さ１１４の別の部分に沿った第２下側フランジ部１５０を含む。換言すると、狭長構造物１０２は、第１下側フランジ部１４８にある少なくとも１つの区域と、第２下側フランジ部１５０にある少なくとも１つの区域とを含む。かかる構成の一例では、第１下側フランジ部１４８の一区域と第２下側フランジ部１５０の一区域とは、互いに隣接して存在するか又は位置している。
【００９１】
一部の例では、図５に示しているように、第１下側フランジ部１４８と第２下側フランジ部１５０とは、概して類似した形状寸法を有して、ウェブ１２０について概して対称である。あるいは、他の例では、第１下側フランジ部１４８と第２下側フランジ部１５０とは、ウェブ１２０について非対称である。一部の例では、第１下側フランジ部１４８と第２下側フランジ部１５０の一方又は両方が、狭長構造物１０２の長さ１１４の少なくとも１つの部分に沿って延在する、可変形状を含む。かかる可変形状の下側フランジ部は、湾曲した、階段状の、傾斜した、又は別様な、フランジ構成を含みうる。あるいは、一部の例では、第１下側フランジ部１４８と第２下側フランジ部１５０の両方が、狭長構造物１０２の長さ１１４の全体に沿って、唯一（ｊｕｓｔ  ｏｎｅ）形状を含む。
【００９２】
この開示においては、図示しているように、下側フランジ１２２は、狭長構造物１０２の底部又はベースを画定するか、又は、パネル構造物１０８の近位に（例えば、パネル構造物１０８のところ又はその付近に）位置している内側フランジと称される。下側フランジ底面１４２は、狭長構造物１０２の長手方向外表面を画定する。この長手方向外表面は、構造アセンブリ１００のパネル構造物１０８の装着面１７６（例えば、内側若しくは上側の表面、又は内側モールドライン）に当接するよう構成される。
【００９３】
一例では、図５に示しているように、上側フランジ１２８は、第１上側フランジ部１５８及び第２上側フランジ部１６０を含む。第１上側フランジ部１５８と第２上側フランジ部１６０は両方とも、ウェブ１２０の上側エリア１６２（例えば遠位自由端部）から離れる方向に延在する。一例では、第１上側フランジ部１５８及び第２上側フランジ部１６０は、ウェブ１２０の両側に、横方向に外側に向かって延在する。
【００９４】
一例では、第１上側フランジ部１５８は第１上側フランジ部幅１６４を有し、第２上側フランジ部１６０は第２上側フランジ部幅１６６を有する。通常、第１上側フランジ部幅１６４と第２上側フランジ部幅１６６とは、ひとつになって、上側フランジ幅１４６を画定する。
【００９５】
一部の例では、図示しているように、第１上側フランジ部１５８と第２上側フランジ部１６０は両方とも、共通の平面に沿って、横方向に延在する。あるいは、別の一部の例では、非平面の上側フランジ部構成も使用されうる。一部の例では、狭長構造物１０２は、２を上回る数の上側フランジ部を含む。
【００９６】
一部の例では、第１上側フランジ部幅１６４と第２上側フランジ部幅１６６とは、概して又はおおよそ等しい。あるいは、一部の例では、第１上側フランジ部幅１６４と第２上側フランジ部幅１６６とは等しくなく、狭長構造物１０２の長さ１１４の別々の部分に沿ったところでは異なる。
【００９７】
一部の例では、第１上側フランジ部幅１６４が、狭長構造物１０２の長さ１１４の少なくとも１つの部分に沿って変動可能である（例えば、可変幅を含む）一方、反対側の第２上側フランジ部幅１６６は、狭長構造物の長さ１１４の少なくとも１つの部分に沿って不変である（例えば不変幅を含む）か、又はその逆である。一部の例では、第１上側フランジ部幅１６４と第２上側フランジ部幅１６６は両方とも、狭長構造物１０２の長さ１１４の少なくとも１つの部分に沿って変動可能である（例えば、可変幅を含む）。
【００９８】
一部の例では、狭長構造物１０２の上側フランジ１２８は、単一の上側フランジ部だけ（例えば、第１上側フランジ部１５８だけか、又は第２上側フランジ部１６０だけ）を含む。１つの上側フランジ部だけ（例えば第１上側フランジ部１５８など）を含む上側フランジ１２８を含む狭長構造物１０２の一部の例では、かかる単一の上側フランジ部は不変幅を有しうる。例えば、かかる単一の上側フランジ部は、狭長構造物１０２の長さ１１４の全体にわたり、不変幅を有しうる。１つの上側フランジ部だけ（例えば第１上側フランジ部１５８など）を含む上側フランジ１２８を含む狭長構造物１０２の一部の例では、かかる単一の上側フランジ部は可変幅を有しうる。例えば、かかる単一の上側フランジ部は、狭長構造物１０２の長さ１１４の少なくとも１つの部分に沿って、又は狭長構造物１０２の長さ１１４の全体にわたり、可変幅を有しうる。
【００９９】
一部の例では、狭長構造物１０２の上側フランジ１２８は、狭長構造物１０２の長さ１１４のある部分に沿った第１上側フランジ部１５８を含み、かつ、狭長構造物１０２の長さ１１４の別の部分に沿った第２上側フランジ部１６０を含む。換言すると、狭長構造物１０２は、第１上側フランジ部１５８にある少なくとも１つの区域と、第２上側フランジ部１６０にある少なくとも１つの区域とを含む。かかる構成の一例では、第１上側フランジ部１５８の一区域と第２上側フランジ部１６０の一区域とは、互いに隣接して存在するか又は位置している。
【０１００】
一部の例では、図５に示しているように、第１上側フランジ部１５８と第２上側フランジ部１６０とは、概して類似した形状寸法を有して、ウェブ１２０について概して対称である。あるいは、他の例では、第１上側フランジ部１５８と第２上側フランジ部１６０とは、ウェブ１２０について非対称である。一部の例では、第１上側フランジ部幅１５８と第２上側フランジ部幅１６０の一方又は両方が、狭長構造物１０２の長さ１１４の少なくとも１つの部分に沿って延在する、可変形状を含む。かかる可変形状の上側フランジ部は、湾曲した、階段状の、傾斜した、又は別様な、フランジ構成を含みうる。あるいは、一部の例では、第１上側フランジ部１５８と第２上側フランジ部１６０の両方が、狭長構造物１０２の長さ１１４の全体に沿って唯一形状を含む。
【０１０１】
この開示においては、図示しているように、上側フランジ１２８は、狭長構造物１０２の遠位自由端部の上部を画定するか、又は、パネル構造物１０８から離間して位置している外側フランジと称される。
【０１０２】
一部の例では、狭長構造物１０２はモノリシック構造物である（例えば、モノリシック構造物によって形成される）。一部の例では、かかるモノリシック構造物は金属材料から作製される。一部の例では、かかるモノリシック金属製構造物は、押出成形プロセス、ローリングプロセス、及び／又は鍛造プロセスを経て作製されて、望ましい形、形状寸法、及び／又は構成の狭長構造物１０２（例えば、下側フランジ１２２、ウェブ１２０、及び／又は上側フランジ１２８）を形成しうる。加えて、一部の例では、かかるモノリシック金属製構造物の諸部分は、望ましい形、形状寸法、及び／又は構成の狭長構造物１０２を実現するのに合った工程を経て、作製される。一例では、ウェブ１２０、下側フランジ１２２、及び／又は上側フランジ１２８の諸部分は、狭長構造物１０２のための装着面として使用されうる概して平らな表面を有するよう、機械加工されうる。一例では、ウェブ１２０、下側フランジ１２２、及び／又は上側フランジ１２８の諸部分はそれぞれ、可変ウェブ高さ及び／又は可変フランジ幅を実現するよう、機械加工されうる。
【０１０３】
一部の例では、かかるモノリシック金属製構造物は、付加製造プロセスを経て作製されて、望ましい形、形状寸法、及び／又は構成の狭長構造物１０２（例えば、下側フランジ１２２、ウェブ１２０、及び／又は上側フランジ１２８）を形成しうる。この開示においては、「付加製造（ａｄｄｉｔｉｖｅ  ｍａｎｕｆａｃｔｕｒｉｎｇ）」という語は、材料を層をなすように（ｌａｙｅｒ−ｕｐｏｎ−ｌａｙｅｒ）付加することによって三次元物体を構築する、任意の利用可能な技術であって、例えばコンピュータ、三次元モデリングソフトウェア（例えばコンピュータ支援設計）、機械設備、及び積層材料（例えば金属、プラスチックなど）を利用する、技術のことである。付加製造の例は、選択的レーザ焼結（ＳＬＳ）、直接金属レーザ焼結（ＤＭＬＳ）、及び選択的レーザ溶融（ＳＬＭ）を含むが、これらに限定されるわけではない。有利には、付加製造プロセスは、望ましい形、形状寸法、及び／又は構成の狭長構造物１０２を実現しつつ、作製プロセスの複雑性及び材料の廃棄量を低減するために、使用されうる。一例では、付加製造により、ウェブ１２０、下側フランジ１２２、及び／又は上側フランジ１２８の諸部分が、狭長構造物１０２のための装着面として使用されうる概して平らな表面を有するように、インシトゥで形成される（すなわち積み上げられる）ことが可能になりうる。一例では、付加製造により、ウェブ１２０、下側フランジ１２２、及び／又は上側フランジ１２８の諸部分がそれぞれ、可変ウェブ高さ及び／又は可変フランジ幅を有するように、インシトゥで形成されることが可能になりうる。
【０１０４】
一部の例では、モノリシック構造物は強化ポリマー複合材料から作製される。かかるモノリシック複合構造物は、様々な既知の複合物製造技法のうちの任意のものを経て作製されて、望ましい形、形状寸法、及び／又は構成の狭長構造物１０２（例えば、下側フランジ１２２、ウェブ１２０、及び／又は上側フランジ１２８）を形成しうる。一例では、望ましい形、形状寸法、及び／又は構成の狭長構造物１０２を有するように、（例えば、樹脂マトリクスで含浸された編織シート若しくは非編織シート又は単方向テープの形態の）強化ポリマー複合材料の層が、形成ツール（マンドレル又は型など）の上でレイアップされ、硬化されうる。
【０１０５】
一例では、パネル構造物１０８はパネル肉厚１６８を有する。狭長構造物１０２と同様に、パネル構造物１０８も、多種多様な材料（金属材料又は強化ポリマー複合材料など）のうちの任意のものから作製されうる。パネル構造物１０８及び狭長構造物１０２の材料組成に応じて、パネル構造物１０８は、多種多様な技法のうちの任意のもので、狭長構造物１０２の下側フランジ１２２に連結される。
【０１０６】
一部の例では、例えばパネル構造物１０８及び狭長構造物１０２が両方とも複合材料で形成される場合、パネル構造物１０８は、好適な接着材料を使用して下側フランジ１２２に連結される。一部の例では、狭長構造物１０２とパネル構造物１０８とは、相対的に未硬化の状態で存在しうる。一部の例では、狭長構造物１０２とパネル構造物１０８とは、相対的に硬化済みの状態で存在しうる。ある特定の例では、相対的に未硬化のパネル構造物１０８と相対的に硬化済みの狭長構造物１０２の下側フランジ１２２との間に、膜状接着材料を挿入することによって、パネル構造物１０８が下側フランジ１２２に連結されうる。次いで膜状接着剤が硬化されると同時に、未硬化のパネル構造物１０８も硬化され、これにより、下側フランジ１２２とパネル構造物１０８との間に接着接合が形成される。あるいは、別の特定の例では、膜状接着剤は、相対的に硬化済みのパネル構造物１０８と相対的に未硬化の狭長構造物１０２との間に挿入されてよく、これにより、狭長構造物１０２が硬化されるのと同時に接着接合が形成される。
【０１０７】
一部の例では、例えばパネル構造物１０８と狭長構造物１０２の一方又は両方が複合材料及び／又は金属材料で形成される場合、パネル構造物１０８及び下側フランジ１２２は、パネル構造物１０８と、下側フランジ１２２の下側フランジ部のうちの少なくとも１つとを貫通する、少なくとも１つの開孔１７０を含みうる。開孔１７０は、ファスナ１０６のネジ式シャフト部１７２（ボルトなど）を収容するのに好適に、サイズ決定される。ネジ式シャフト部１７２は、ファスナ１０６のナット部１７４と螺合し、ネジ式シャフト部１７２とナット部１７４とは、協働して、パネル構造物１０８と下側フランジ１２２とを連結する。ファスナ１０６（すなわち、ネジ式シャフト部１７２とナット部１７４）に所定のトルクが付与されると、ファスナ１０６は、協働して、パネル構造物１０８及び下側フランジ１２２に所定の圧縮力を付与する。かかる締結システムは、取付け中に所定の張力に到達すると破断するシヤ部を含むことによって、所定の張力を発現させる。
【０１０８】
一部の例では、狭長構造物１０２は、第１下側フランジ部１４８と第２下側フランジ部１５０の両方を有する下側フランジ１２２、及び、第１上側フランジ部１５８と第２上側フランジ部１６０の両方を有する上側フランジ１２８を含む。かかるフランジ構成は、一般に、「Ｉ」ビーム構造の形態をとっていると言われる。
【０１０９】
一部の例では、狭長構造物１０２は、第１下側フランジ部１４８のみを有する下側フランジ１２２、及び、オプションで、第１上側フランジ部１５８及び／又は第２上側フランジ部１６０の一方又は両方を有する上側フランジ１２８を含む。かかるフランジ構成は、一般に、「Ｊ」ビーム構造の形態をとっていると言われる。
【０１１０】
一部の例では、狭長構造物１０２は、第２下側フランジ部１５０のみを有する下側フランジ１２２、及び、オプションで、第１上側フランジ部１５８及び／又は第２上側フランジ部１６０の一方又は両方を有する上側フランジ１２８を含む。かかるフランジ構成は、一般に、「Ｌ」ビーム構造の形態をとっていると言われる。
【０１１１】
一部の例では、狭長構造物１０２は、第１下側フランジ部１４８のみ（又は第２下側フランジ部１５０のみ）を有する下側フランジ１２２、及び、第１上側フランジ部１５８のみ（又は第２上側フランジ部１６０のみ）を有する上側フランジ１２８を含む。かかるフランジ構成は、一般に、「Ｃ」ビーム構造（又は逆「Ｃ」ビーム構造）の形態をとっていると言われる。
【０１１２】
一部の例では、狭長構造物１０２は、第２下側フランジ部１５０のみ（又は第１下側フランジ部１４８のみ）を有する下側フランジ１２２、及び、第１上側フランジ部１５８のみ（又は第２上側フランジ部１６０のみ）を有する上側フランジ１２８を含む。かかるフランジ構成は、一般に、「Ｚ」ビーム構造（又は逆「Ｚ」ビーム構造）の形態をとっていると言われる。
【０１１３】
一部の例では、狭長構造物１０２は、第１下側フランジ部１４８及び／若しくは第２下側フランジ部１５０の一方若しくは両方を有する、下側フランジ１２２のみを含むか、又は、パネル構造物１０８に直接連結されたウェブ１２０だけを含む。かかる構成は、一般に、ブレード構造（又はブレードストリンガ）の形態をとっていると言われる。
【０１１４】
一部の例では、狭長構造物１０２は、種々の開放型又は閉鎖型の構成を形成する、その他の形及び／又は形状寸法を含みうる。例えば、狭長構造物１０２は、他の様々なビーム構造のうちの任意のもの、又はハット型構造（例えばハット型ストリンガ）を含みうる。
【０１１５】
図６は、狭長構造物１０２、パネル構造物１０８の一部分、及び、対向している支持構造物１０４の対（個別に第１支持構造物１０４Ａ及び第２支持構造物１０４Ｂと称される）の一部分を含む、本開示の構造アセンブリ１００の一例の一部分を示している。図７は、狭長構造物１０２の一部分、パネル構造物１０８の一部分、及び支持構造物１０４の一部分を含む、本開示の構造アセンブリ１００の一例の一部分を示している。図８は、狭長構造物１０２の一部分、パネル構造物１０８の一部分、及び支持構造物１０４の一部分を含む、本開示の構造アセンブリ１００の一例の一部分を示している。図９は、狭長構造物１０２、パネル構造物１０８の一部分、及び支持構造物１０４の一部分を含む、本開示の構造アセンブリ１００の一例の一部分の断面を示しており、狭長構造物１０２は支持構造物１０４の近位で（例えば、支持構造物１０４のところで又はその付近で）切断された断面を有している。
【０１１６】
図６及び図７を参照するに、狭長構造物１０２は高さ１１０を有する。通常、図５に示しているように、狭長構造物１０２の高さ１１０は、ウェブ１２０のウェブ高さ１２４と、下側フランジ１２２の下側フランジ肉厚（すなわち、下側フランジ底面１４２と下側フランジ上面１３８との間の延在部）及び／又は上側フランジ１２８の上側フランジ肉厚（すなわち、上側フランジ底面１３６と上側フランジ上面１４０との間の延在部）とを一緒にしたものによって、画定される。
【０１１７】
狭長構造物１０２の高さ１１０は、狭長構造物１０２の長さ１１４に沿って変動可能である（例えば、可変高さを含む）。換言すると、高さ１１０は、狭長構造物１０２の長さ１１４の一又は複数の部分の端から端までにおいて変動する。一部の例では、高さ１１０は、狭長構造物１０２の長さ１１４に沿って、絶えず変動する。一部の例では、高さ１１０は、狭長構造物１０２のある長さに沿って不変の高さ部分と、同じ狭長構造物１０２の別の長さに沿って可変な高さ部分の、両方を有する。
【０１１８】
一部の例では、狭長構造物１０２の長さ１１４は、狭長構造物１０２の第１端部１７８から、第１端部１７８の反対側の、狭長構造物１０２の第２端部１８０までに、画定される。一部の例では、第１端部１７８と第２端部１８０との間に包括されている、狭長構造物１０２のある特定の寸法が、狭長構造物１０２の長さ１１４を画定する。一部の例では、狭長構造物１０２の長さ１１４は、両端のうちの一方（例えば第１端部１７８又は第２端部１８０）から、支持構造物１０４のうちの１つ（例えば、第１支持構造物１０４Ａ又は第２支持構造物１０４Ｂ）までに、画定される。一部の例では、狭長構造物１０２の長さ１１４は、隣接し対向している支持構造物１０４の対の間（例えば、第１支持構造物１０４Ａと第２支持構造物１０４Ｂとの間）に、画定される。一部の例では、隣接し対向している支持構造物１０４の対の間（例えば、第１支持構造物１０４Ａと第２支持構造物１０４Ｂとの間）にあるエリア又は領域は、構造アセンブリ１００のベイ１８２と称される。
【０１１９】
通常、図６から図９に示している例では、狭長構造物１０２は、ウェブ１２０、下側フランジ１２２、及び上側フランジ１２８を含み、その各々が、狭長構造物１０２の長さ１１４の少なくとも１つの部分に沿って変動する局所的質量２４０及び／又は局所的体積２７６を画定する、局所的断面形状及び局所的形状寸法を有する。
【０１２０】
狭長構造物１０２の一部の例では、図６から図８に示しているように、下側フランジ１２０は、狭長構造物１０２の長さ１１４の少なくとも１つの部分に沿って可変又は不均一な断面を有する。一例では、狭長構造物１０２は、狭長構造物１０２の長さ１１４の一部分（例えば複数のある部分だけ）に沿って延在する下側フランジ１２２を含み、下側フランジ幅１４４（図５）は、狭長構造物１０２の長さ１１４の少なくとも１つの部分に沿って変動可能である。一例では、下側フランジ１２２は、狭長構造物１０２の長さ１１４の一部分に沿って延在する、第１下側フランジ部１４８及び／又は第２下側フランジ部１５０の一方又は両方を含み、第１下側フランジ部幅１５４（図５）及び／又は第２下側フランジ部幅１５６（図５）は、狭長構造物の長さ１１４の少なくとも１つの部分に沿って変動可能である。例えば、第１下側フランジ部幅１５４及び／又は第２下側フランジ部幅１５６は、狭長構造物１０２の長さ１１４に沿って絶えず変動しうるか、又は、狭長構造物１０２の長さ１１４の別々の部分に沿って、変動区域と不変区域とを含みうる。
【０１２１】
一部の例では、図６から図８に示しているように、下側フランジ１２２（第１下側フランジ部１４８又は第２下側フランジ部１５０）は、複数の下側フランジ区域（例えば、第１下側フランジ区域１９０、第２下側フランジ区域１９２、第３下側フランジ区域１９４、第４下側フランジ区域１９６、第５下側フランジ区域１９８など）を含む。一部の例では、下側フランジ幅１４４（第１下側フランジ部幅１５４及び／又は第２下側フランジ部幅１５６）は、狭長構造物１０２の長さ１１４のある部分（例えば、隣接した下側フランジ区域同士の間）に沿って、最小幅となるか、又は最小幅を画定する。一部の例では、下側フランジ幅１４４（第１下側フランジ部幅１５４及び／又は第２下側フランジ部幅１５６）は、狭長構造物１０２の長さ１１４の別の部分に沿って（例えば、複数の下側フランジ区域に沿って）、最大幅となるか、又は最大幅を画定する。
【０１２２】
一部の例では、下側フランジ区域（例えば、第１下側フランジ区域１９０、第２下側フランジ区域１９２、第３下側フランジ区域１９４、第４下側フランジ区域１９６、及び第５下側フランジ区域１９８）の各々の下側フランジ幅は、概して又はおおよそ等しい。一部の例では、下側フランジ区域のうちの少なくとも１つ（例えば、第１下側フランジ区域１９０、第２下側フランジ区域１９２、第３下側フランジ区域１９４、第４下側フランジ区域１９６、及び／又は第５下側フランジ区域１９８）の下側フランジ幅は、下側フランジ区域のうちの少なくとも１つの別の区域とは異なる。一例としては、第２下側フランジ区域１９２の下側フランジ幅は、第１下側フランジ区域１９０及び／又は第３下側フランジ区域１９４の下側フランジ幅よりも、概して広くなりうる。
【０１２３】
一部の例では、下側フランジ区域（例えば、第１下側フランジ区域１９０、第２下側フランジ区域１９２、第３下側フランジ区域１９４、第４下側フランジ区域１９６、及び第５下側フランジ区域１９８）の各々の下側フランジ幅は、狭長構造物１０２の長さ１１４の、対応する下側フランジ区域を含む部分に沿って不変である。例えば、第１下側フランジ区域１９０、第２下側フランジ区域１９２、第３下側フランジ区域１９４、第４下側フランジ区域１９６、第５下側フランジ区域１９８の各々の下側フランジ幅は、それぞれの下側フランジ区域の長さに沿って不変である。一部の例では、下側フランジ区域のうちの一又は複数（例えば、第１下側フランジ区域１９０、第２下側フランジ区域１９２、第３下側フランジ区域１９４、第４下側フランジ区域１９６、及び／又は第５下側フランジ区域１９８）の下側フランジ幅は、狭長構造物１０２の長さ１１４の、対応する下側フランジ区域を含む部分に沿って変動可能である。例えば、第１下側フランジ区域１９０、第２下側フランジ区域１９２、第３下側フランジ区域１９４、第４下側フランジ区域１９６、及び／又は第５下側フランジ区域１９８のうちの少なくとも１つの下側フランジ幅は、それぞれの下側フランジ区域の長さに沿って変動可能である。
【０１２４】
狭長構造物１０２の一部の例では、下側フランジ１２２は、狭長構造物１０２の長さ１１４の全体に沿って不変又は均一な断面を有する。一例では、狭長構造物１０２は、狭長構造物１０２の長さ１１４の全体に沿って延在する下側フランジ１２２を含み、下側フランジ幅１４４（図５）は、狭長構造物１０２の長さ１１４の全体に沿って不変である。一例では、下側フランジ１２２は、狭長構造物１０２の長さ１１４の全体に沿って延在する、第１下側フランジ部１４８及び／又は第２下側フランジ部１５０の一方又は両方を含み、第１下側フランジ部幅１５４（図５）及び／又は第２下側フランジ部幅１５６（図５）は、狭長構造物の長さ１１４の全体に沿って不変である。
【０１２５】
狭長構造物１０２の一部の例では、図７に示しているように、上側フランジ１２８は、狭長構造物１０２の長さ１１４の全体に沿って不変又は均一な断面を有する。一例では、狭長構造物１０２は、狭長構造物１０２の長さ１１４の全体に沿って延在する上側フランジ１２８を含み、上側フランジ幅１４６（図５）は、狭長構造物１０２の長さ１１４の全体に沿って不変である。一例では、上側フランジ１２８は、狭長構造物１０２の長さ１１４の全体に沿って延在する、第１上側フランジ部１５８及び／又は第２上側フランジ部１６０の一方又は両方を含み、第１上側フランジ部幅１６４（図５）及び／又は第２上側フランジ部幅１６６（図５）は、狭長構造物の長さ１１４の全体に沿って不変である。
【０１２６】
狭長構造物１０２の一部の例では、図６及び図８に示しているように、上側フランジ１２８は、狭長構造物１０２の長さ１１４の少なくとも１つの部分に沿って可変又は不均一な断面を有する。一例では、狭長構造物１０２は、狭長構造物１０２の長さ１１４の一部分（例えば複数のある部分だけ）に沿って延在する上側フランジ１２８を含み、上側フランジ幅１４６（図５）は、狭長構造物１０２の長さ１１４の少なくとも１つの部分に沿って変動可能である。一例では、上側フランジ１２８は、狭長構造物１０２の長さ１１４の一部分に沿って延在する、第１上側フランジ部１５８及び／又は第２上側フランジ部１６０の一方又は両方を含み、第１上側フランジ部幅１６４（図５）及び／又は第２上側フランジ部幅１６６（図５）は、狭長構造物１０２の長さ１１４の少なくとも１つの部分に沿って変動可能である。例えば、第１上側フランジ部幅１６４及び／又は第２上側フランジ部幅１６６は、狭長構造物１０２の長さ１１４に沿って絶えず変動しうるか、又は、狭長構造物１０２の長さ１１４の別々の部分に沿って、変動区域と不変区域とを含みうる。
【０１２７】
一部の例では、図６及び図８に示しているように、上側フランジ１２８（第１上側フランジ部１５８及び／又は第２上側フランジ部１６０）は、複数の上側フランジ区域（例えば、第１上側フランジ区域１８４、第２上側フランジ区域１８６、第３上側フランジ区域１８８など）を含む。一部の例では、上側フランジ幅１４６（第１上側フランジ部幅１６４及び／又は第２上側フランジ部幅１６６）は、狭長構造物１０２の長さ１１４のある部分（例えば、隣接した上側フランジ区域同士の間）に沿って、最小幅となるか、又は最小幅を画定する。一部の例では、上側フランジ幅１４６（第１上側フランジ部幅１６４及び／又は第２上側フランジ部幅１６６）は、狭長構造物１０２の長さ１１４の別の部分に沿って（例えば、複数の上側フランジ区域に沿って）、最大幅となるか、又は最大幅を画定する。一部の例では、狭長構造物１０２の上側フランジ１２８を有さない領域が、上側フランジ区域のうちの隣接した区域同士を（例えば、第１上側フランジ区域１８４と第２上側フランジ区域１８６との間で、又は、第２上側フランジ区域１８６と第３上側フランジ区域１８８との間で、）分離させる。換言すると、上側フランジ幅１４６（第１上側フランジ部幅１６４又は第２上側フランジ部幅１６６）の最小幅は、狭長構造物１０２の長さ１１４のある部分に沿って（例えば、上側フランジ区域同士の間では）ゼロに近づきうる。
【０１２８】
一部の例では、上側フランジ区域（例えば、第１上側フランジ区域１８４、第２上側フランジ区域１８６、及び第３上側フランジ区域１８８）の各々の上側フランジ幅は、概して又はおおよそ等しい。一部の例では、上側フランジ区域のうちの少なくとも１つ（例えば、第１上側フランジ区域１８４、第２上側フランジ区域１８６、及び／又は第３上側フランジ区域１８８）の上側フランジ幅は、上側フランジ区域のうちの少なくとも１つの別の区域とは異なる。一例としては、第２上側フランジ区域１８６の上側フランジ幅は、第１上側フランジ区域１８４及び／又は第３上側フランジ区域１８８の上側フランジ幅よりも、概して広くなりうる。
【０１２９】
一部の例では、上側フランジ区域（例えば、第１上側フランジ区域１８４、第２上側フランジ区域１８６、及び第３上側フランジ区域１８８）の各々の上側フランジ幅は、狭長構造物１０２の長さ１１４の、対応する上側フランジ区域を含む部分に沿って不変である。例えば、第１上側フランジ区域１８４、第２上側フランジ区域１８６、及び第３上側フランジ区域１８８の各々の上側フランジ幅は、それぞれの上側フランジ区域の長さに沿って不変である。一部の例では、上側フランジ区域の一又は複数（例えば、第１上側フランジ区域１８４、第２上側フランジ区域１８６、及び／又は第３上側フランジ区域１８８）の上側フランジ幅は、狭長構造物１０２の長さ１１４の、対応する上側フランジ区域を含む部分に沿って変動可能である。例えば、第１上側フランジ区域１８４、第２上側フランジ区域１８６、及び／又は第３上側フランジ区域１８８のうちの少なくとも１つの上側フランジ幅は、それぞれの上側フランジ区域の長さに沿って変動可能である。
【０１３０】
図７から図９を参照するに、一部の例では、支持構造物１０４は壁構造物２６４を含み、壁構造物２６４は、支持構造物ウェブ２０４によって接続されている、支持構造物上側フランジ２００と支持構造物下側フランジ２０２とを含む。一部の例では、支持構造物下側フランジ２０２は、支持構造物ウェブ２０４の片側又は両側から、横方向に外側に向かって延在する。一部の例では、支持構造物上側フランジ２００は、支持構造物ウェブ２０４の片側又は両側から、横方向に外側に向かって延在する。支持構造物１０４は、開口２０６（一般にマウス孔と称される）を含むか、又は画定する。開口２０６は、キー溝（ｋｅｙｗａｙ）を形成するか又は画定し、狭長構造物１０２は、このキー溝を通過するか又はキー溝を通って延在して、支持構造物１０４を通り抜ける。開口２０６は、狭長構造物１０２の断面形状（例えば、狭長構造物１０２のウェブ・フランジ構成）を概して補完するものである。開口２０６により、狭長構造物１０２が、好ましくはパネル構造物１０８に沿って、支持構造物１０４を越えるか、支持構造物１０４を通って延在するか、又は支持構造物１０４によりスプライスされる（ｓｐｌｉｃｅｄ）ことが可能になる。狭長構造物１０２が通過する開口２０６は、開口高さ２５８を有する。
【０１３１】
図９を参照するに、一例では、支持構造物ウェブ２０４は、支持構造物ウェブ開口２０８を含むか、又は画定する。支持構造物ウェブ開口２０８は、開口２０６（狭長構造物１０２のウェブ１２０及び上側フランジ１２８はこれを通過するか、又はこれを通って延在して、支持構造物１０４を通り抜ける）の一部分である。支持構造物ウェブ開口２０８は、狭長構造物１０２のウェブ１２０及び上側フランジ１２８の断面形状を概して補完するものである。一例では、支持構造物下側フランジ２０２は、支持構造物下側フランジ開口２１０を含むか、又は画定する。支持構造物下側フランジ開口２１０は、支持構造物ウェブ開口２０８と交差する。支持構造物下側フランジ開口２１０は、開口２０６（狭長構造物１０２の下側フランジ１２２はこれを通過するか、又はこれを通って延在して、支持構造物１０４を通り抜ける）の一部分である。支持構造物下側フランジ開口２１０は、狭長構造物１０２の下側フランジ１２２の断面形状を概して補完するものである。支持構造物ウェブ開口２０８と支持構造物下側フランジ開口２１０とは、ひとつになって、狭長構造物１０２が、好ましくはパネル構造物１０８に沿って、支持構造物１０４を通って延在する（例えば、支持構造物１０４によりスプライスされる）ことを可能にする。
【０１３２】
一部の例では、支持構造物１０４の支持構造物ウェブ２０４は、開口２０６の周りに位置している（例えば、開口２０６を取り囲んでいる）、肉厚が増大したエリア２１２（肥厚エリアと称される）を含む。一例では、肥厚エリア２１２は、支持構造物ウェブ開口２０８及び支持構造物下側フランジ開口２１０の周りに位置している。
【０１３３】
一部の例では、支持構造物ウェブ開口２０８の一部分は円形である。支持構造物ウェブ２０４の肥厚エリア２１２、及び支持構造物ウェブ開口２０８の円形部分は、構造アセンブリ１００が負荷を受けている時の支持構造物１０４における亀裂の発生及び伝播を防止するか又はかかる亀裂の発生及び伝播に抵抗するのに役立つことがあり、かつ、支持構造物１０４の支持構造物上側フランジ２００の安定化を支援するためのものである。一例では、支持構造物ウェブ２０４の一部分（例えば、肥厚エリア２１２の周りにある部分）は、平面２１４を含む。当業者には認識されるように、狭長構造物１０２及び／又は支持構造物１０４のサイズ、形、材料、構造、及び幾何形状は、組み立てられる構造アセンブリ１００（例えば胴体又は翼）の種類に適するよう、変更されてよく、したがって、本書に記載されている構造アセンブリ１００の様々な構成要素を、限定的なものと見なすべきではない。
【０１３４】
狭長構造物１０２は支持構造物１０４を通って延在するので、支持構造物１０４の支持構造物下側フランジ２０２とパネル構造物１０８との接触は、支持構造物下側フランジ２０２によって画定される、円周方向に配向された複数の表面において発生する。換言すると、支持構造物下側フランジ２０２はパネル構造物１０８の装着面に沿って延在するので、支持構造物下側フランジ開口２１０により、支持構造物下側フランジ２０２の底面とパネル構造物１０８の装着面（例えば内側面）との接触が中断される。狭長構造物１０２と支持構造物１０４との交差部において、支持構造物下側フランジ２０２と狭長構造物１０２との間に重複部分が形成される。この重複部分は、狭長構造物１０２と支持構造物１０４とが、亀裂伝播を阻害する連続した複数の外周面の形成に役立つことを、確実にするのに役立つ。
【０１３５】
図９を参照するに、一部の例では、開口２０６の開口高さ２５８は、支持構造物１０４の近位における狭長構造物１０２の高さ１１０（局所的高さ２４２）を上回る。一例では、開口高さ２５８は、狭長構造物１０２の最小高さ１１６（狭長構造物１０２が支持構造物１０４と交差し、開口２０６を通過するところに対応する、狭長構造物１０２の長さ１１４に沿った場所における、狭長構造物１０２の局所的高さ２４２）を上回る。換言すると、開口２０６の上部は、狭長構造物１０２の上端部（例えば上側フランジ１２８）の上方に位置しているか、又は上方にある。
【０１３６】
一部の例では、開口２０６の開口高さ２５８は、支持構造物１０４から離間している場所における、狭長構造物１０２の高さ１１０（局所的高さ２４２）を下回る。一例では、開口高さ２５８は、狭長構造物１０２の最大高さ１１８（支持構造物１０４から離間しているか又は隣接し対向している支持構造物１０４の対の間にある場所１１２に対応する、狭長構造物１０２の長さ１１４に沿った場所における、狭長構造物１０２の局所的高さ２４２）を下回る。換言すると、開口２０６の上部は、狭長構造物１０２の上端部（例えば上側フランジ１２８）の下方に位置しているか、又は下方にある。
【０１３７】
開口高さ２５８がこのように構成されることで、支持構造物１０４の、開口２０６の上端部から支持構造物ウェブ２０４の上端部まで延在している寸法を増大させることにより、支持構造物１０４の肉厚の減少又は低減（詳細には、支持構造物１０４の、このように構成されなければ肥厚されていたエリア２１２の肉厚の減少）が、有利に可能になる。
【０１３８】
図１０は、狭長構造物１０２、パネル構造物１０８の一部分、対向している支持構造物１０４の対（例えば第１支持構造物１０４Ａと第２支持構造物１０４Ｂ）の一部分、及び複数の装着クリップ２１６（個別に装着クリップ２１６とも称される）を含む、本開示の構造アセンブリ１００の一例の一部分を示している。図１１及び図１２は各々、装着クリップ２１６を用いて狭長構造物１０２が支持構造物１０４に動作可能に連結されている、本開示の構造アセンブリ１００の一例の一部分を示している。
【０１３９】
図１０を参照するに、一部の例では、構造アセンブリ１００は装着クリップ２１６を含む。装着クリップ２１６は、狭長構造物１０２と支持構造物１０４とを動作可能に連結するために使用される。一部の例では、狭長構造物１０２には、一又は複数のクリップ装着面２１８が含まれるか又は設けられる。一部の例では、狭長構造物１０２の一又は複数の部分は、概して平らな表面を有するよう作製されてよく、かかる平面は、狭長構造物装着クリップ２１６を狭長構造物１０２に装着するための、装着面２１８として使用される。一例では、狭長構造物１０２の上側フランジ１２８の一又は複数の部分が、概して平らな表面であって、装着クリップ２１６と狭長構造物１０２とを連結させるための装着面２１８として使用される平面を有するよう、形成される。一例では、狭長構造物１０２のウェブ１２０の一又は複数の部分が、概して平らな表面であって、装着クリップ２１６と狭長構造物１０２とを連結させるための装着面２１８として使用される平面を有するよう、形成される。一部の例では、装着面２１８は、狭長構造物１０２の、支持構造物１０４の開口２０６又は支持構造物１０４により設けられた開口２０６を通過する部分又は区域と一致するように、狭長構造物１０２の長さ１１４に沿って配置される。
【０１４０】
図１１及び図１２を参照するに、一部の例では、装着クリップ２１６は、第１本体部２２０と、第１本体部２２０から延在する第２本体部２２２とを含む。一部の例では、第１本体部２２０と第２本体部２２２とは、互いに対して直角に配向されるか、又は直角になる。一例では、第１本体部２２０はクリップ第１装着面を含む。この実施例では、クリップ第１装着面は、概して平らであり、かつ、支持構造物１０４の開口２０６（図１２）の近位で（例えば、開口２０６のところで又はその付近で）、支持構造物１０４の支持構造物ウェブ２０４の肥厚エリア２１２の平面２１４に連結される。一例では、第２本体部２２２がクリップ第２装着面を含む。この実施例では、クリップ第２装着面は、概して平らであり、かつ、支持構造物１０４の開口２０６の近位で（例えば、開口２０６のところで又はその付近で）、狭長構造物１０２のウェブ１２０の装着平面２１８に連結される。
【０１４１】
装着クリップ２１６は、多種多様な方式のうちの任意のもので、支持構造物１０４及び狭長構造物１０２に連結される。例としては、装着クリップ２１６は、接着剤によって、接合されることによって、硬化されることによって、リベット留めされることによって、又は、他の任意の好適な装着技法を使用することによって、定位置に連結されうる。
【０１４２】
本開示の構造アセンブリ１００と共に装着クリップ２１６を使用することの利点の１つは、かかる装着クリップ２１６が、概して迅速かつ容易に装着されうることである。これは、装着クリップ２１６は、支持構造物１０４の、対応する概して平らな又は平坦な表面に沿って取り付けられうるので、装着クリップ２１６の特別な機械加工が必要ないからである。同様に、装着クリップ２１６は、狭長構造物１０２の対応する概して平らな表面に沿っても、概して迅速かつ容易に取り付けられうる。結果的に、狭長構造物１０２を更に機械加工することも、作製することも、必要なくなる。更に、装着クリップ２１６は、支持構造物１０４と狭長構造物１０２の両方の概して平らな表面に沿って取り付けられうるので、（例えば航空機にしばしば起こるように、）構造アセンブリ１００が受ける振動力並びにその他の荷重及び力が増大しても、取り付けられた装着クリップ２１６は、定位置に保持されうる。かかる装着クリップ構成の別の利点は、装着クリップ２１６の肉厚が、狭長構造物１０２が支えるよう設計される総荷重に応じて、変更されうることである。装着クリップ２１６のかかる肉厚は、狭長構造物１０２及び／又は支持構造物１０４を変更することなく、変更されうる。
【０１４３】
図１３は、狭長構造物１０２の一部分、パネル構造物１０８の一部分、支持構造物１０４の一部分、及び複数のブラケット２２４（個別にブラケット２２４とも称される）を含む、本開示の構造アセンブリ１００の一例の一部分を示している。図１４は、狭長構造物１０２、パネル構造物１０８の一部分、対向している支持構造物１０４の対（例えば第１支持構造物１０４Ａと第２支持構造物１０４Ｂ）の一部分、及びブラケット２２４を含む、本開示の構造アセンブリ１００の一例の一部分を示している。図１５は、狭長構造物１０２、パネル構造物１０８の一部分、支持構造物１０４の一部分、及びブラケット２２４を含む、本開示の構造アセンブリ１００の一部分の一例の断面を示しており、狭長構造物１０２は支持構造物１０４の近位で（例えば、支持構造物１０４のところで又はその付近で）切断された断面を有している。
【０１４４】
図１３から図１５を参照するに、一部の例では、支持構造物１０４は、（図６から図１０に示しているように）パネル構造物１０８と直接連結されているのではなく、パネル構造物１０８から離間しており、ブラケット２２４が、支持構造物１０４とパネル構造物１０８とを動作可能に連結している。通常、ブラケット２２４は、支持構造物１０４とパネル構造物１０８とを繋ぐ、スプライスとしての役割を果たす。
【０１４５】
図１３を参照するに、一例では、ブラケット２２４の各々は、ブラケットウェブ２２８とブラケットフランジ２３０（又は、ブラケットウェブ２２８の片側から横方向に外側に向かって延在するフット部）とを含む。一部の例では、ブラケットウェブ２２８の一部分は、支持構造物１０４の支持構造物ウェブ２０４の肥厚エリア２１２の平面２１４に装着される。ブラケットウェブ２２８の別の部分は、支持構造物１０４からパネル構造物１０８まで延在し、これにより、支持構造物１０４はパネル構造物１０８から離間する。ブラケットフランジ２３０は、パネル構造物１０８の装着面に連結される。一部の例では、ブラケットフランジ２０３は、狭長構造物１０２の下側フランジ１２２にも連結される。
【０１４６】
一部の例では、支持構造体１０４と、パネル構造物１０８と、隣接したブラケット２２４の対との間にあるエリアにより、開口２２６が画定される。開口２０６（図７から図９）と同様に、開口２２６は、キー溝を形成するか又は画定し、狭長構造物１０２は、このキー溝を通過するか又はキー溝を通って延在して、支持構造物１０４を通り抜ける。開口２２６は、狭長構造物１０２の断面形状（例えば、狭長構造物１０２のウェブ・フランジ構成）を概して補完するものである。開口２２６により、狭長構造物１０２が、好ましくはパネル構造物１０８に沿って、支持構造物１０４及びブラケット２２４を越えるか、これらを通って延在するか、又はこれらによりスプライスされることが、可能になる。狭長構造物１０２が通過する開口２２６は、開口高さ２５８を有する。
【０１４７】
図１５を参照するに、一部の例では、開口２２６の開口高さ２５８は、支持構造物１０４の近位における狭長構造物１０２の高さ１１０（局所的高さ２４２）を上回る。一例では、開口高さ２５８は、狭長構造物１０２の最小高さ１１６（狭長構造物１０２が支持構造物１０４と交差し、開口２２６を通過するところに対応する、狭長構造物１０２の長さ１１４に沿った場所における、狭長構造物１０２の局所的高さ２４２）を上回る。換言すると、開口２２６の上部は、狭長構造物１０２の上端部の上方に位置しているか、又は上方にある。
【０１４８】
一部の例では、開口２２６の開口高さ２５８は、支持構造物１０４から離間している場所における、狭長構造物１０２の高さ１１０（局所的高さ２４２）を下回る。一例では、開口高さ２５８は、狭長構造物１０２の最大高さ１１８（支持構造物１０４から離間しているか又は隣接し対向している支持構造物１０４の対の間にある場所１１２に対応する、狭長構造物１０２の長さ１１４に沿った場所における、狭長構造物１０２の局所的高さ２４２）を下回る。換言すると、開口２２６の上部は、狭長構造物１０２の上端部（例えば上側フランジ１２８）の下方に位置しているか、又は下方にある。
【０１４９】
支持構造物１０４がパネル構造物１０８から離間している一部の例では（例えば、支持構造物１０４がブラケット２２４でパネル構造物１０８に連結されている場合）、支持構造物１０４の支持構造物下端部２６０は、狭長構造物１０２の最大高さ１１８（支持構造物１０４から離間しているか又は隣接し対向している支持構造物１０４の対の間にある場所１１２に対応する、狭長構造物１０２の長さ１１４に沿った場所における、狭長構造物１０２の局所的高さ２４２）の下方に位置しているか、又は下方にある。
【０１５０】
図１６は、狭長構造物１０２の一部分、パネル構造物１０８の一部分、及び対向している支持構造物１０４の対（例えば第１支持構造物１０４Ａと第２支持構造物１０４Ｂ）の一部分を含む、本開示の構造アセンブリ１００の一例の一部分を示している。
【０１５１】
図１６を参照するに、一部の例では、支持構造物１０４のうちの少なくとも１つ（例えば第１支持構造物１０４Ａ）は、パネル構造物１０８上にある、又はパネル構造物１０８と一体化されたパドアップ（ｐａｄ−ｕｐ）２６２を含むか、又はパドアップ２６２の形態をとる。一部の例では、パドアップ２６２は、狭長構造物１０２のための装着面１７６としての役割を果たすパネル構造物１０８の、パネル肉厚１６８（図５）の局所的肥厚部を含む。一部の例では、パドアップ２６２は、パネル構造物１０８の内表面に連結されたシム構造物又は楔構造物であって、狭長構造物１０２のための装着面１７６としての役割を果たす、シム構造物又は楔構造物を含む。
【０１５２】
明示的に図示しているわけではないが、一部の例では、対向している支持構造物１０４の対の両方（例えば第１支持構造物１０４Ａ及び第２支持構造物１０４Ｂ）が、パドアップ２６２を含むか、又はパドアップ２６２の形態をとる。別の一部の例では、支持構造物１０４の対の一方（例えば第１支持構造物１０４Ａ）がパドアップ２６２を含み、支持構造物１０４の対の他方（例えば第２支持構造物１０４Ｂ）は壁構造物２６４を含む。
【０１５３】
図１７は、複数の狭長構造物１０２、及び外板パネル１０８を含む、本開示の構造アセンブリ１００の一例の一部分を示している。一例では、構造アセンブリ１００は、アイソグリッド構造若しくはオルソグリッド構造であるか、又は、アイソグリッド構造若しくはオルソグリッド構造の形態をとり、かかる構造において、パネル構造物１０８はプレート又は面シートを形成し、複数の狭長構造物１０２が交差して、一連の三角形、四角形、又はダイヤモンド形の補剛リブを含む、格子構造を形成する（すなわち、狭長構造物１０２同士の間に三角形、四角形、又はダイヤモンド形のスペースが画定される）。
【０１５４】
図１７を参照するに、一部の例では、狭長構造物１０２のうちの一又は複数は、下側フランジ１２２と、下側フランジ１２２から延在するウェブ１２０とを含む。一部の例では、狭長構造物１０２のうちの一又は複数は、外板パネル１０８から直接延在するウェブ１２０だけを含む。一部の例では、狭長構造物１０２のうちの一又は複数は、下側フランジ１２２、上側フランジ１２８、及び、下側フランジ１２２と上側フランジ１２８との間に延在するウェブ１２０を含む。
【０１５５】
一部の例では、狭長構造物１０２はパネル構造物１０８に連結される。一例では、下側フランジ１２２は（例えばファスナ、構造接合などを介して）、パネル構造物１０８の装着面１７６に連結される。
【０１５６】
一部の例では、狭長構造物１０２はパネル構造物１０８と一体化される。一例では、狭長構造物１０２の下側フランジ１２２及びウェブ１２０と、パネル構造物１０８とが（例えば共硬化、付加製造、機械加工、又はそれ以外の除去加工などを介して）、一体的に形成される。一例では、狭長構造物１０２のウェブ１２０とパネル構造物１０８とが（例えば共硬化、付加製造、機械加工、又はそれ以外の除去加工などを介して）、一体的に形成される。ゆえに、一部の例では、構造アセンブリ１００は、例えば金属材料から作製されたモノリシック構造物（例えばモノリシック金属製構造物）、又は強化ポリマー複合材料から構成されたモノリシック構造物（例えばモノリシック複合構造物）である（例えば、かかるモノリシック構造物によって形成される）。
【０１５７】
一部の例では、支持構造物１０４は、複数の狭長構造物１０２の接合部又は交差部を形成する構造ノードであるか、又はかかる構造ノードの形態をとる。換言すると、支持構造物１０４は、パネル構造物１０８に連結された構造部材であり、この構造部材において、複数の狭長構造物が互いに交差するか、又は複数の狭長構造物１０２の端部が互いに接合する。
【０１５８】
一例では、狭長構造物１０２の長さ１１４は、隣接し対向している支持構造物１０４（又は構造ノード）の対の間に画定される。狭長構造物１０２の高さ１１０、又はウェブ１２０のウェブ高さ１２４は、狭長構造物１０２の長さ１１４に沿って変動可能である。一部の例では、高さ１１０又はウェブ高さ１２４は、狭長構造物１０２の長さ１１４に沿って、絶えず変動する。一部の例では、高さ１１０又はウェブ高さ１２４は、狭長構造物１０２のある長さに沿って不変の高さ部分と、同じ狭長構造物１０２の別の長さに沿って可変な高さ部分の、両方を有する。
【０１５９】
一部の例では、ウェブ１２０のウェブ肉厚２５４は、狭長構造物１０２の長さ１１４に沿って変動可能である。一部の例では、ウェブ１２０のウェブ肉厚２５４は、狭長構造物１０２の長さ１１４に沿って、絶えず変動する。一部の例では、ウェブ１２０のウェブ肉厚２５４は、狭長構造物１０２のある長さに沿って不変の肉厚部分と、同じ狭長構造物１０２の別の長さに沿って可変な肉厚部分の、両方を有する。
【０１６０】
一部の例では、狭長構造物１０２の高さ１１０は、フレーム構造物１０４（構造ノード）の近位（例えば、第１フレーム構造物１０４Ａと第２フレーム構造物１０４Ｂの少なくとも一方の近位）に位置しているか又はそこに存在する、狭長構造物１０２の最小高さ１１６であるか、又は最小高さ１１６を画定する。一部の例では、狭長構造物１０２の高さ１１０は、隣接し対向しているフレーム構造物１０４の対の間の場所１１２において、狭長構造物１０２の最大高さ１１８となるか、又は最大高さ１１８を画定する。一部の例では、狭長構造物１０２の最大高さ１１８の場所１１２は、第１フレーム構造物１０４Ａと第２フレーム構造物１０４Ｂとの間の途中地点に配置される。
【０１６１】
一部の例では、ウェブ１２０のウェブ高さ１２４は、狭長構造物１０２の最小高さ１１６に対応する、狭長構造物１０２の長さ１１４に沿った一又は複数の場所において、最小ウェブ高さ１３２となるか、又は最小ウェブ高さ１３２を画定する。ウェブ１２０のウェブ高さ１２４は、狭長構造物１０２の最大高さ１１８に対応する、狭長構造物１０２の長さ１１４に沿った一又は複数の場所において、最大ウェブ高さ１３４となるか、又は最小ウェブ高さ１３４を画定する。
【０１６２】
一部の例では、最小ウェブ高さ１３２は、狭長構造物１０２の最小質量２６６と最小体積２７８の少なくとも一方に対応する。一部の例では、最大ウェブ高さ１３４は、狭長構造物１０２の最小質量２３８と最小体積２７８の少なくとも一方に対応する。
【０１６３】
一部の例では、最小ウェブ高さ１３２は、狭長構造物１０２の最大質量２６８と最大体積２８０の少なくとも一方に対応する。一部の例では、最大ウェブ高さ１３４は、狭長構造物１０２の最大質量２６８と最大体積２８０の少なくとも一方に対応する。
【０１６４】
一部の例では、ウェブ１２０のウェブ肉厚２５４は、狭長構造物１０２の長さ１１４に沿った一又は複数の場所において、最小ウェブ肉厚２７０となるか、又は最小ウェブ肉厚２７０を画定し、狭長構造物１０２の長さ１１４に沿った一又は複数の別の場所において、最大ウェブ肉厚２７２となるか、又は最大ウェブ肉厚２７２を画定する。
【０１６５】
一部の例では、最小ウェブ肉厚２７０は、狭長構造物１０２の最小高さ１１６及び／又はウェブ１２０の最小ウェブ高さ１３２に対応する。一部の例では、最小ウェブ肉厚は、狭長構造物１０２の最大高さ１１８及び／又はウェブ１２０の最大ウェブ高さ１３４に対応する。
【０１６６】
一部の例では、最大ウェブ肉厚２７２は、狭長構造物１０２の最小高さ１１６及び／又はウェブ１２０の最小ウェブ高さ１３２に対応する。一部の例では、最大ウェブ肉厚２７２は、狭長構造物１０２の最大高さ１１８及び／又はウェブ１２０の最大ウェブ高さ１３４に対応する。
【０１６７】
一部の例では、最小ウェブ肉厚２７０は、狭長構造物１０２の最小質量２６６と最小体積２７８の少なくとも一方に対応する。一部の例では、最小ウェブ肉厚２７０は、狭長構造物１０２の最大質量２６８と最大体積２８０の少なくとも一方に対応する。
【０１６８】
一部の例では、最大ウェブ肉厚２７２は、狭長構造物１０２の最小質量２６６と最小体積２７８の少なくとも一方に対応する。一部の例では、最大ウェブ肉厚２７２は、狭長構造物１０２の最大質量２６８と最大体積２８０の少なくとも一方に対応する。
【０１６９】
図１から図３、及び図５から図１６を参照するに、これらによると、構造アセンブリ１００は、少なくとも１つの支持構造物１０４（例えば第１支持構造物１０４Ａ）を含む。一部の例では、構造アセンブリ１００は、複数の支持構造物１０４（例えば第１支持構造物１０４Ａ及び第２支持構造物１０４Ｂ）を含み、第２支持構造物１０４Ｂは、第１支持構造物１０４Ａから離間しており、かつ、第１支持構造物１０４Ａに対向し隣接して位置している。
【０１７０】
構造アセンブリ１００は、少なくとも１つの狭長構造物１０２も含む。一部の例では、構造アセンブリ１００は、複数の狭長構造物１０２を含む。狭長構造物１０２は、支持体構造１０４と交差する。一部の例では、狭長構造物１０２は支持構造物１０４に連結される。一部の例では、狭長構造物１０２は、支持構造物１０４を通って延在するか、又は支持構造物１０４を通過する。一部の例では、狭長構造物１０２は、対向し隣接している支持構造物１０４の対（例えば第１支持構造物１０４Ａと第２支持構造物１０４Ｂ）の各々と交差する。一部の例では、狭長構造物１０２は、対向し隣接している支持構造物１０４の対の一方若しくは両方を通って延在するか、又はかかる対の一方若しくは両方を通過する。
【０１７１】
一部の例では、構造アセンブリ１００は少なくとも１つのパネル構造物１０８を含む。一部の例では、構造アセンブリ１００は、複数のパネル構造物１０８を含む。一部の例では、支持構造物１０４がパネル構造物１０８に連結される。一部の例では、狭長構造物１０２がパネル構造物１０８に連結される。
【０１７２】
一部の例では、構造アセンブリ１００は、支持構造物１０４と、支持構造物１０４と交差する狭長構造物１０２とを含む。狭長構造物１０２は、長さ１１４及び質量２３８を有する狭長構造物１０２の質量２３８は、狭長構造物１０２の長さ１１４に沿って変動する。狭長構造物１０２の局所的質量２４０は、支持構造物１０４に向かって減少し、支持構造物１０４から離れて増大する。
【０１７３】
一部の例では、狭長構造物１０２は体積２７４も有する。狭長構造物１０２の体積２７４は、狭長構造物１０２の長さ１１４に沿って変動する。狭長構造物１０２の局所的体積２７６は、支持構造物１０４に向かって減少し、支持構造物１０４から離れて増大する。
【０１７４】
したがって、一部の例では、狭長構造物１０２の質量２３８と体積２７４の少なくとも一方の局所的な減少又は低減は、狭長構造物１０２と支持構造物１０４との交差部の近位で（例えば、かかる交差部のところで又はその付近で）発生する。
【０１７５】
一部の例では、狭長構造物１０２の局所的質量２４０の減少は、狭長構造物１０２の局所的体積２７６の減少に対応し、狭長構造物１０２の局所的質量２４０の増大は、狭長構造物１０２の局所的体積２７６の増大に対応する。一部の例では、狭長構造物１０２の局所的体積２７６の減少は、狭長構造物１０２の局所的質量２４０の減少に対応し、狭長構造物１０２の局所的体積２７６の増大は、狭長構造物１０２の局所的質量２４０の増大に対応する。
【０１７６】
一部の例では、狭長構造物１０２は高さ１１０を有する。狭長構造物１０２の高さ１１０は、狭長構造物１０２の長さ１１４に沿って変動する。狭長構造物１０２の局所的高さ２４２は、支持構造物１０４に向かって減少し、支持構造物１０４から離れて増大する。一部の例では、狭長構造物１０２の局所的高さ２４２の減少は、狭長構造物１０２の局所的質量２４０の減少に対応し、狭長構造物１０２の局所的高さ２４２の増大は、狭長構造物１０２の局所的質量２４０の増大に対応する。一部の例では、狭長構造物１０２の局所的高さ２４２の減少は、狭長構造物１０２の局所的体積２７６の減少に対応し、狭長構造物１０２の局所的高さ２４２の増大は、狭長構造物１０２の局所的体積２７６の増大に対応する。一部の例では、支持構造物１０４の近位における狭長構造物１０２の局所的高さ２４２は、狭長構造物１０２の最小高さ１１６であり、支持構造物１０４から離間している場所における狭長構造物１０２の局所的高さ２４２は、狭長構造物１０２の最大高さ１１８である。
【０１７７】
一部の例では、支持構造物１０４は、開口２０６を有する壁構造物２６４を含む。狭長構造物１０２は、開口２０６を通って延在する。狭長構造物１０２の最小高さ１１６は、支持構造物１０４の開口２０６のところに位置している。一部の例では、開口２０６は開口高さ２５８を有する。開口高さ２５８は、狭長構造物１０２の最大高さ１１８を下回る。一部の例では、支持構造物１０４（例えば第１支持構造物１０４Ａと第２支持構造物１０４Ｂ）の各々は、それに関連する開口２０６を含むか又は画定する。狭長構造物１０２は、第１支持構造物１０４Ａに関連する開口２０６（例えば第１開口）を通って延在するか、又はかかる開口２０６を通過し、かつ、第２支持構造物１０４Ｂに関連する開口２０６（例えば第２開口）を通って延在するか、又はかかる開口２０６を通過する。狭長構造物１０２の最小高さ１１６は、支持構造物１０４の各々に関連する開口２０６のところに位置している。
【０１７８】
一部の例では、支持構造物１０４は、隣接し対向している支持構造物１０４の対のうちの第１支持構造物１０４Ａである。構造アセンブリ１００は、隣接し対向している支持構造物１０４の対のうちの第２支持構造物１０４Ｂであって、第１支持構造物１０４Ａに対向しており、かつ第１支持構造物１０４Ａから離間している、第２支持構造物１０４Ｂも含む。狭長構造物１０２は、第１支持構造物１０４Ａと第２支持構造物１０４Ｂとの間に延在する。狭長構造物１０２の最小高さ１１６は、狭長構造物１０２と第１支持構造物１０４Ａとの交差部、及び、狭長構造物１０２と第２支持構造物１０４Ｂとの交差部に位置している。狭長構造物１０２の最大高さ１１８は、第１支持構造物１０４Ａと第２支持構造物１０４Ｂとの間の途中地点に位置している。
【０１７９】
一部の例では、狭長構造物１０２は、狭長構造物１０２の長さ１１４にわたり延在するウェブ１２０と、ウェブ１２０から延在する下側フランジ１２２とを含む。ウェブ１２０はウェブ高さ１２４を有する。ウェブ１２０のウェブ高さ１２４は、狭長構造物１０２の長さ１１４に沿って変動し、かつ、少なくとも部分的に、狭長構造物１０２の高さ１１０を画定する。ウェブ１２０の局所的ウェブ高さ２５２は、支持構造物１０４に向かって減少し、支持構造物１０４から離れて増大する。一部の例では、ウェブ１２０の局所的ウェブ高さ２５２の減少は、狭長構造物１０２の局所的質量２４０の減少に対応し、狭長構造物１０２の局所的ウェブ高さ２５２の増大は、狭長構造物１０２の局所的質量２４０の増大に対応する。一部の例では、ウェブ１２０の局所的ウェブ高さ２５２の減少は、狭長構造物１０２の局所的体積２７６の減少に対応し、狭長構造物１０２の局所的ウェブ高さ２５２の増大は、狭長構造物１０２の局所的体積２７６の増大に対応する。
【０１８０】
一部の例では、ウェブ１２０はウェブ肉厚２５４を有する。ウェブ肉厚２５４は、狭長構造物１０２の長さ１１４に沿って変動する。ウェブ１２０の局所的ウェブ肉厚２５６は、支持構造物１０４に向かって減少し、支持構造物１０４から離れて増大する。一部の例では、ウェブ１２０の局所的ウェブ肉厚２５６の減少は、狭長構造物１０２の局所的質量２４０の減少に対応し、狭長構造物１０２の局所的ウェブ肉厚２５６の増大は、狭長構造物１０２の局所的質量２４０の増大に対応する。一部の例では、ウェブ１２０の局所的ウェブ肉厚２５６の減少は、狭長構造物１０２の局所的体積２７６の減少に対応し、狭長構造物１０２の局所的ウェブ肉厚２５６の増大は、狭長構造物１０２の局所的体積２７６の増大に対応する。
【０１８１】
一部の例では、狭長構造物１０２はモノリシック構造物である。一部の例では、構造アセンブリ１００はモノリシック構造物である。
【０１８２】
一部の例では、狭長構造物１０２の高さ１１０は、狭長構造物１０２の少なくとも１つの区域（例えば第１区域）に沿って、又は狭長構造物１０２の長さ１１４の少なくとも１つの部分（例えば第１部分）に沿って、減少する。一部の例では、狭長構造物１０２の高さ１１０は、狭長構造物１０２の少なくとも１つの別の区域（例えば第２区域）に沿って、又は狭長構造物１０２の長さ１１４の少なくとも１つの別の部分（例えば第２部分）に沿って、増大する。
【０１８３】
一部の例では、支持構造物１０４から、支持構造物１０４から離間している場所１１２に至るまで、狭長構造物１０２の高さ１１０は増大する。一部の例では、第１支持構造物１０４Ａから、第１支持構造物１０４Ａと第２支持構造物１０４Ｂとの間に位置している場所１１２に至るまで、狭長構地指定０２の高さ１１０は増大する。一部の例では、第１支持構造物１０４Ａと第２支持構造物１０４Ｂとの間にある場所１１２から、第１支持構造物１０４Ａと第２支持構造物１０４Ｂの両方に至るまで、狭長構造物１０２の高さ１１０は減少する。
【０１８４】
一部の例では、狭長構造物１０２の高さ１１０は、支持構造物１０４の近位（例えば、第１支持構造物１０４Ａと第２支持構造物１０４Ｂの少なくとも一方の近位）に位置しているか又はそこに存在する、狭長構造物１０２の最小高さ１１６であるか、又は最小高さ１１６を画定する。一部の例では、狭長構造物１０２の高さ１１０は、場所１１２において、狭長構造物１０２の最大高さ１１８となるか、又は最大高さ１１８を画定する。一部の例では、狭長構造物１０２の最大高さ１１８の場所１１２は、第１支持構造物１０４Ａと第２支持構造物１０４Ｂとの間の途中地点にある。一部の例では、狭長構造物１０２の最大高さ１１８は、第１支持構造物１０４Ａと第２支持構造物１０４Ｂとの間に画定されたベイ１８２のおおよそ真ん中に位置しているか、又はそこに存在する。換言すると、狭長構造物１０２の高さ１１０が最大高さ１１８となる場所１１２は、構造アセンブリ１００のベイ中央の場所にある。
【０１８５】
一部の例では、ウェブ１２０のウェブ高さ１２４は、狭長構造物１０２の長さ１１４の少なくとも１つの部分（例えば第１部分）に沿って変動する。狭長構造物１０２の長さ１１４に沿ったウェブ１２０のウェブ高さ１２４は、狭長構造物１０２の、その長さ１１４に沿った高さ１１０に対応する。一部の例では、ウェブ１２０のウェブ高さ１２４は、狭長構造物１０２の最小高さ１１６に対応する、狭長構造物１０２の長さ１１４に沿った一又は複数の場所において、最小ウェブ高さ１３２となるか、又は最小ウェブ高さ１３２を画定する。一部の例では、ウェブ１２０のウェブ高さ１２４は、狭長構造物１０２の最大高さ１１８に対応する、狭長構造物１０２の長さ１１４に沿った一又は複数の場所において、最大ウェブ高さ１３４となるか、又は最大ウェブ高さ１３４を画定する。
【０１８６】
一部の例では、狭長構造物１０２は下側フランジ１２２も含む。下側フランジ１２２はウェブ１２０から延在する。下側フランジ１２２は、パネル構造物１０８と動作可能に連結される。下側フランジ１２２は下側フランジ幅１４４を有する。一部の例では、下側フランジ幅１４４は、狭長構造物１０２の長さ１１４の少なくとも１つの部分に沿って変動する。一部の例では、狭長構造物１０２は上側フランジ１２８も含む。上側フランジ１２８はウェブ１２０から延在する。上側フランジ１２８は、下側フランジ１２２の反対側にある。上側フランジ１２８は上側フランジ幅１４６を有する。一部の例では、上側フランジは、狭長構造物１０２の長さ１１４の少なくとも１つの部分に沿って変動する。一部の例では、下側フランジ幅１４４は、支持構造物１０４の開口２０６のところで、最小下側フランジ幅となる。一部の例では、上側フランジ幅１２６は、支持構造物１０４の開口２０６のところで、最小上側フランジ幅となる。
【０１８７】
本書で開示されているように、狭長構造物１０２の高さ１１０、狭長構造物１０２の幅２４４、ウェブ１２０のウェブ高さ１２４、及び／又はウェブ１２０のウェブ肉厚２５４のうちの少なくとも１つの局所的変動を通じて実現される可変質量２３８及び／又は可変体積２７４を有する狭長構造物１０２を含む、構造アセンブリ１００は、多種多様な利点を提供しうる。一例としては、狭長構造物１０２の可変高さ１１０、又は、（例えば、狭長構造物１０２の一部の区域に沿ってより高いウェブ１２０を提供し、狭長構造物１０２の別の区域に沿ってより低いウェブ１２０を提供する）ウェブ１２０の可変ウェブ高さ１２４、及び／若しくは（例えば、狭長構造物１０２の一部の区域に沿ってより厚いウェブ１２０を提供し、狭長構造物１０２の別の区域に沿ってより薄いウェブ１２０を提供する）ウェブ１２０の可変ウェブ肉厚２５４により、狭長構造物１０２の長さ１１４に沿った、可変安定性及び可変耐荷重性能が求められるところに、それらがもたらされうる。別の例としては、可変高さ１１０を伴う狭長構造物１０２、又は、可変ウェブ高さ１２４及び／若しくは可変ウェブ肉厚２５４を伴うウェブ１２０により、従来的なスティフナ設計又はストリンガ設計と比較して、より好ましい強度重量比がもたらされうる。別の例としては、狭長構造物１０２の可変高さ１１０、又は、ウェブ１２０の可変ウェブ高さ１２４及び／若しくはウェブ１２０の可変ウェブ肉厚２５４により、構造アセンブリ１００の総重量及び組み立て時間を削減するように、ある種の構造アセンブリ１００に必要とされる狭長構造物１０２の総数が減少しうる（例えば、胴体及び／又は翼といったある種の航空機アセンブリに使用されるストリンガの数が減少しうる）。別の例としては、狭長構造物１０２の可変高さ１１０、又は、ウェブ１２０の可変ウェブ高さ１２４及び／若しくはウェブ１２０の可変ウェブ肉厚２５４により、狭長構造物１０２の形状寸法を、狭長構造物１０２の長さ１１４に沿って狭長構造物１０２にかかる色々な変動する種類の荷重に適切に耐えうるようにカスタマイズすることが可能になり、これにより、構造物材料の量が、したがって狭長構造物１０２の重量が、最小化されうる。
【０１８８】
別の例としては、ウェブ１２０のより高い部分及び／又はウェブ１２０のより厚い部分は、隣接した支持構造物１０４同士の間に又はベイ中央の場所（例えば場所１１２）に、設けられうる。ベイ中央におけるこの場所は、狭長構造物１０２の長さ１１４に沿って安定性の増大が必要とされうるところである。別の例としては、ウェブ１２０のより低い部分及び／又はウェブ１２０のより薄い部分は、狭長構造物１０２と支持構造物１０４との交差部（例えば、狭長構造物１０２が支持構造物１０４を通過する、開口２０６又は開口２２６の中）に設けられうる。開口２０６におけるこの場所は、狭長構造物１０２の長さ１１４に沿って安定性の減少が許容されうるところである。そのため、狭長構造物１０２の高さ１１０の変動、又は、ウェブ１２０のウェブ高さ１２４及び／若しくはウェブ１２０のウェブ肉厚２５４の変動は、狭長構造物１０２の長さ１１４の全体にわたって狭長構造物１０２にかかりうる種々の荷重を支持するよう、カスタマイズされうる。通常、狭長構造物１０２の最小高さ１１６、ウェブ１２０の最小ウェブ高さ１３２、ウェブ１２０の最小ウェブ肉厚２７０、狭長構造物１０２の最大高さ１１８、ウェブ１２０の最大ウェブ高さ１３４、及びウェブ１２０の最大ウェブ肉厚２７２の場所は、狭長構造物１０２の座屈を防止するのに必要とされる（例えば圧縮荷重に応じた）強度によって、動かされる。
【０１８９】
別の例としては、隣接した支持構造物１０４同士の間にウェブ１２０のより高い部分及び／又はウェブ１２０のより厚い部分を設けることで、隣接した支持構造物１０４同士の間の間隔を広くすること、及び／又は、支持構造物１０４を少なくすること、ひいては、構造アセンブリ１００のコスト及び重量を削減することが、可能になりうる。別の例としては、開口２０６（又は開口２２６）の中にウェブ１２０のより低い部分及び／又はウェブ１２０のより薄い部分を設けることで、開口２０６（又は開口２２６）をより小さく（例えば、より薄くかつ／又はより低く）することが、可能になりうる。開口２０６をこのように小さくすることで、支持構造物１０４の全体的な高さ及び／又は肉厚の低減が可能になりうるか、又は、十分な不具合予防要件を提供するより低い支持構造物１０４の使用が可能になりうる。
【０１９０】
可変フランジ幅を伴う狭長構造物１０２を有する構造アセンブリ１００も、多種多様な利点を提供しうる。一例としては、フランジの一部の区域に沿ってより広いフランジ部を提供し、このフランジの別の区域に沿ってより狭いフランジ部を提供することで、従来的なスティフナ設計又はストリンガ設計と比較して、より好ましい強度重量比がもたらされうると共に、狭長構造物１０２の形状寸法を、狭長構造物１０２の長さ１１４に沿って狭長構造物１０２にかかる色々な変動する種類の荷重に適切に耐えうるようにカスタマイズすることが可能になり、これにより、構造物材料の量が、したがって狭長構造物１０２の重量が、最小化されうる。別の例としては、より広いフランジ部は、隣接した支持構造物１０４同士の間に、又はベイ中央の場所に設けられうる。ベイ中央におけるこの場所は、狭長構造物１０２の長さ１１４に沿って安定性の増大が必要とされうるところである。そのため、フランジ部の幅の変動は、狭長構造物１０２の長さ１１４全体にわたって狭長構造物１０２にかかりうる種々の荷重を支持するよう、カスタマイズされうる。
【０１９１】
図１８は、構造アセンブリ１００において構造荷重を支持するための方法１０００の一例のフロー図を示している。一部の例では、構造アセンブリ１００は、支持構造物１０４と、支持構造物１０４と交差する狭長構造物１０２とを含む。一部の例では、構造アセンブリ１００は、パネル構造物１０８と、パネル構造物１０８に連結された支持構造物１０４と、パネル構造物１０８に連結され、かつ支持構造物１０４と交差する、狭長構造物１０２とを含む。一部の例では、構造アセンブリ１００は、複数の支持構造物１０４と、支持構造物１０４のうちの隣接したもの同士の間に延在する、複数の狭長構造物１０２とを含む。
【０１９２】
方法１０００は、構造アセンブリ１００及び狭長構造物１０２の例にしたがって、狭長構造物１０２による構造荷重の支持、及び／又は、狭長構造物１０２の構造荷重性能の増強を提供する。一部の例では、方法１０００は、構造アセンブリ１００上での構造荷重の支持、及び／又は、構造アセンブリ１００の構造荷重性能の増強を提供し、ここで、構造荷重は狭長構造物１０２にかかる。一部の例では、方法１０００は、構造物２３２による構造荷重の支持、及び／又は、構造物２３２の構造荷重性能の増強を提供し、ここで、構造荷重は構造アセンブリ１００（構造アセンブリ１００の狭長構造物１０２など）にかかる。
【０１９３】
一部の例では、構造荷重は、狭長構造物１０２の長さ１１４に沿って延在するウェブ１２０と、下側フランジ１２２とを含む、狭長構造物１０２にかかりうる。一部の例では、構造荷重はウェブ１２０に沿ってかかりうる。ウェブ１２０は、狭長構造物１０２の長さ１１４の少なくとも１つの部分に沿って、可変ウェブ高さ１２４及び／又は可変ウェブ肉厚２５４を有する。
【０１９４】
一部の例では、方法１０００は、構造アセンブリ１００に構造荷重を印加すること（ブロック１００２）を含む。一例では、構造荷重は、構造物２３２の構造アセンブリ１００の一又は複数の部分に印加される圧縮荷重である。一例では、構造荷重の印加は、輸送体構造物２３４（例えば航空機１２００）の動作、又はスタンドアロン構造物２３６の利用に応じたものである。一例では、構造物２３２の動作又は利用により、圧力又は力（したがって構造荷重）が、構造アセンブリ１００に（例えば、パネル構造物１０８に連結された狭長構造物１０２及び支持構造物１０４に）印加される。
【０１９５】
一部の例では、方法１０００は、狭長構造物１０２に構造荷重を負荷するステップ（ブロック１００４）を含む。一部の例では、狭長構造物１０２は、狭長構造物１０２の長さ１１４の少なくとも１つの部分に沿って変動する、質量２３８を有する。狭長構造物１０２の局所的質量２４０は、支持構造物１０４に向かって減少し、支持構造物１０４から離れて増大する。一部の例では、狭長構造物１０２は、狭長構造物１０２の長さ１１４の少なくとも１つの部分に沿って変動する、高さ１１０を有する。狭長構造物１０２の高さ１１０は、支持構造物１０４の近位で減少し、かつ、支持構造物１０４から、支持構造物１０４から離間している場所１１２に至るまで、増大する。
【０１９６】
通常、構造物２３２の動作又は利用に応じて、方法１０００は、狭長構造物１０２のある部分に構造荷重を印加するよう構成された力を発生させる。方法１０００によると、一部の例では、負荷をかけることに応じて、構造荷重が、狭長構造物１０２の少なくとも１つの部分に受容される（ブロック１００６）。一部の例では、狭長構造物１０２は、狭長構造物１０２の長さ１１４にわたり延在するウェブ１２０を含む。ウェブ１２０はウェブ高さ１２４とウェブ肉厚２５４とを有する。ウェブ高さ１２４とウェブ肉厚２５４の少なくとも一方は、狭長構造物１０２の長さ１１４に沿って変動する。ウェブ１２０の局所的ウェブ高さ２５２と局所的ウェブ肉厚２５６の少なくとも一方の減少は、狭長構造物１０２の局所的質量２４０と局所的体積２７６の少なくとも一方の減少に対応する。ウェブ１２０の局所的ウェブ高さ２５２と局所的ウェブ肉厚２５６の少なくとも一方の増大は、狭長構造物１０２の局所的質量２４０と局所的体積２７６の少なくとも一方の増大に対応する。負荷をかけることに応じて、構造荷重が、狭長構造物１０２の、最大質量２６８を有する少なくとも１つの部分に受容される。一部の例では、狭長構造物１０２の高さ１１０は、支持構造物１０４の近位で最小高さ１１６となり、支持構造物１０４から離間している場所１１２において最大高さ１１８となる。負荷をかけることに応じて、構造荷重が、狭長構造物１０２の、最大高さ１１８を有する少なくとも１つの部分に受容される（ブロック１００６）。
【０１９７】
構造物３２３の動作又は利用に応じて、方法１０００は、狭長構造物１０２のある部分に（例えば、狭長構造物１０２のウェブ１２０に沿って）構造荷重を印加するよう構成された力を発生させる。一部の例では、狭長構造物１０２は、狭長構造物１０２の高さ１１０を少なくとも部分的に画定するウェブ高さ１２４と、ウェブ肉厚２５４とを有する、ウェブ１２０を含む。ウェブ１２０のウェブ高さ１２４及び／又はウェブ１２０のウェブ肉厚２５４は、狭長構造物１０２の長さ１１４の少なくとも１つの部分に沿って変動する。狭長構造物１０２は、ウェブ１２０から延在し、かつパネル構造物１０８に連結されている、下側フランジ１２２も含む。一部の例では、狭長構造物１０２に構造荷重を負荷するステップは、狭長構造物１０２の少なくともウェブ１２０において、構造荷重の少なくとも一部分を受容するステップを含む。
【０１９８】
一部の例では、狭長構造物１０２は、支持構造物１０４によって設けられた開口２０６（又は開口２２６）を通過する。一部の例では、開口２０６内では、ウェブ１２０のウェブ高さ１２４が最小ウェブ高さ１３２であることと、ウェブ１２０のウェブ肉厚２５４が最小ウェブ肉厚２７０であることの、少なくとも一方である。支持構造物１０４から離間している場所１１２においては、ウェブ１２０のウェブ高さ１２４が最大ウェブ高さ１３４であることと、ウェブ１２０のウェブ肉厚２５４が最大ウェブ肉厚２７２であることの、少なくとも一方である。方法１０００によると、一部の例では、負荷をかけることに応じて、構造荷重の少なくとも一部分は、ウェブ１２０の、最大ウェブ高さ１３４及び／又は最大ウェブ肉厚２７２を有する少なくとも１つの部分に受容される。
【０１９９】
方法１０００によると、一部の例では、構造荷重を発生させる力は、狭長構造物１０２のウェブ１２０に対して概して直角な方向のものである。一例では、かかる荷重負荷は、狭長構造物１０２の様々な部分に沿って、特に狭長構造物１０２の長さ１１４の、第１フレーム構造物１０４Ａと第２フレーム構造物１０４Ｂとの間にある部分に沿って（例えばベイ中央の場所において）、発生しうる。一部の例では、構造荷重は、狭長構造物１０２の長さ１１４に沿って変動しうる。かかる状況においては、狭長構造物１０２の長さ１１４の、荷重の大部分を受容する部分は、最大高さ１１８、ウェブ１２０の最大ウェブ高さ１３４、及び／又はウェブ１２０の最大ウェブ肉厚２７２を有するよう、作製される。換言すると、狭長構造物１０２の高さ１１０、ウェブ１２０のウェブ高さ１２４、及び／又はウェブ１２０のウェブ肉厚２５４は、狭長構造物１０２の長さ１１４に沿って、構造荷重と共に変動しうる。一部の例では、構造荷重は、より小さな質量２３８（例えば最小質量２６６）及び／又はより小さな体積２７４（例えば最小体積２７８）を有する、狭長構造物１０２の第２区域又は長さ１１４の第２部分よりも、より大きな質量２３８（例えば最大質量２６８）及び／又はより大きな体積２７４（例えば最大体積２８０）を有する、狭長構造物１０２の第１区域又は長さ１１４の第１部分に沿って、大きくなりうる。一部の例では、構造荷重は、より小さな高さ１１０（例えば最小高さ１１６）、より小さなウェブ高さ１２４（例えば最小ウェブ高さ１３２）、及び／又はより小さなウェブ肉厚２５４（例えば最小ウェブ肉厚２７０）を有する、狭長構造物１０２の第２区域又は長さ１１４の第２部分よりも、より大きな高さ１１０（例えば最大高さ１１８）、より大きなウェブ高さ１２４（例えば最大ウェブ高さ１３４）、及び／又はより大きなウェブ肉厚２５４（例えば最大ウェブ肉厚２７２）を有する、狭長構造物１０２の第１区域又は長さ１１４の第１部分に沿って、大きくなりうる。
【０２００】
方法１０００によると、一部の例では、方法１０００は、狭長構造物１０２の長さ１１４全体にわたって、構造荷重を変動させるステップも含む。一例では、構造荷重は、狭長構造物１０２の、最大高さ１１８、最大ウェブ高さ１３４、及び／又は最大ウェブ肉厚２７２（例えば最大質量２６８及び／又は最大体積２８０）を有する部分に沿って増大し、狭長構造物１０２の、最小高さ１１６、最小ウェブ高さ１３２、及び／又は最小ウェブ肉厚２７０（例えば最小質量２６６及び／又は最小体積２７８）を有する部分に沿って減少する。
【０２０１】
一部の例では、方法１０００は、負荷をかけることに応じて、曲げモーメントに抵抗するよう、構造荷重に反応するステップ（ブロック１００８）を含む。一部の例では、このステップは、狭長構造物１０２の、最大高さ１１８、ウェブ１２０の最大ウェブ高さ１３４、及び／又は最大ウェブ肉厚２７２を有する少なくとも１つの部分（例えば、狭長構造物１０２の、隣接した支持構造物１０４同士の間にある部分）に沿って設けられたウェブ１２０の可変ウェブ高さ１２４及び／又はウェブ１２０の可変ウェブ肉厚２５４に沿った荷重に、反応するステップを含む。かかる状況においては、狭長構造物１０２の、最大高さ１１８、最大ウェブ高さ１３４、及び／又は最大ウェブ肉厚２７２を有する部分は、隣接した支持構造物１０４同士の間での狭長構造物１０２の座屈に抵抗する。
【０２０２】
一部の例では、方法１０００は、狭長構造物１０２に対する構造荷重を解消するステップ（ブロック１０１０）も含む。一部の例では、このステップは、狭長構造物１０２の、狭長構造物１０２が支持構造物１０４と交差する（例えば、狭長構造物１０２が支持構造物１０４によって設けられた開口２０６を通過する）少なくとも１つの部分に沿って設けられた狭長構造物１０２の可変高さ１１０、ウェブ１２０の可変ウェブ高さ１２４、及び／又はウェブ１２０の可変ウェブ肉厚２５４に沿った荷重を、解消するステップを含む。代替的又は追加的には、このステップは、狭長構造物１０２の装着面２１８と支持構造物１０４の平面２１４とを動作可能に連結する装着クリップ２１６の近位で（例えば、装着クリップ２１６のところで又はその付近で）、構造荷重を解消するステップを含みうる。
【０２０３】
図１９は、構造アセンブリ１００の狭長構造物１０２を作製するための方法２０００の一例のフロー図を示している。図２０は、狭長構造物１０２を設計及び作製するために利用される、製造環境３００の一例を示している。
【０２０４】
本書で上述したように、狭長構造物１０２は、長さ１１４の少なくとも１つの部分に沿って変動する質量２３８及び／又は体積２７４を有するように、設計され、作製される。一部の例では、可変質量２３８及び／又は可変体積２７４は、長さ１１４の少なくとも１つの部分に沿って変動する高さ１１０を有する狭長構造物１０２、長さ１１４の少なくとも１つの部分に沿って変動するウェブ高さ１２４を有するウェブ１２０、及び／又は、長さ１１４の少なくとも１つの部分に沿って変動するウェブ肉厚２５４を有するウェブ１２０を、設計し、作製することによって、実現される。加えて、一部の例では、可変質量２３８及び／又は可変体積２７４は、長さ１１４の少なくとも１つの部分に沿って変動する下側フランジ幅１４４を有する下側フランジ１２２、及び／又は、長さ１１４の少なくとも１つの部分に沿って変動する上側フランジ幅１４６を有する上側フランジ１２８を伴う、狭長構造物１０２を設計し、作製することによって、実現される。方法２０００によると、狭長構造物１０２の可変高さ１１０、ウェブ１２０の可変ウェブ高さ１２４、可変ウェブ肉厚２５４、並びに／又は、可変下側フランジ幅１４４及び／又は可変上側フランジ幅１４６は、狭長構造物１０２の負荷要件に基づいて選択されうる。換言すると、狭長構造物１０２の材料組成及び形状寸法は、狭長構造物１０２サイズ、形、及び重量、並びに構造アセンブリ１００のスペース要件と、構造アセンブリ１００に印加される荷重とのバランスを取るよう、最適化されうる。一部の例では、狭長構造物１０２の長さ１１４に沿った、負荷に応じて座屈が最も発生しやすい場所（例えば、隣接した支持構造物１０４同士の間の場所１１２）において、狭長構造物１０２の最大高さ１１８、ウェブ１２０の最大ウェブ高さ１３４、及び／又はウェブ１２０の最大ウェブ肉厚２７２が、選択される。同様に、狭長構造物１０２の長さ１１４に沿った、負荷に応じて座屈が最も発生しにくい場所（例えば、支持構造物１０４の近位）において、狭長構造物１０２の最小高さ１１６、ウェブ１２０の最小ウェブ高さ１３２、及び／又はウェブ１２０の最小ウェブ肉厚２７０が、選択される。狭長構造物１０２の、最小高さ１１６、最小ウェブ高さ１３２、最小ウェブ肉厚２７０、最大高さ１１８、最大ウェブ高さ１３４、及び／又は最大ウェブ肉厚２７２の場所をこのように選択することにより、構造荷重を支持することが必要なところに材料を配置するだけで、狭長構造物１０２を製造するために使用される材料、及び、構造アセンブリ１００に印加される荷重に反応するのに十分な重量比強度要件の最適化が、有利に可能になる。
【０２０５】
図２０を参照するに、一部の例では、狭長構造物１０２の最適設計は、コンピュータシステム３０４（例えば一又は複数のコンピュータ）で実行されるコンピュータプログラム製品３０２を使用して実施される。コンピュータシステム３０４は、少なくとも１つのプロセッサ３０６と、メモリ３０８（例えば非一過性のコンピュータ可読媒体）とを含む。コンピュータプログラム製品３０２は、メモリ３０８に記憶されたコンピュータコードであって、本開示の方法２０００にしたがって工程ステップを実施するためにプロセッサ３０６によって実行可能な、コンピュータコードを含む。通常、コンピュータシステム３０４は、方法２０００のステップの少なくとも一部分を実行するための動作環境を提供する。例えば、方法２０００は、１つのコンピュータによって、又は相互接続されたいくつかのコンピュータにおいて、実装されうる。コンピュータシステム３０４は、演算デバイスの任意の集合体であって、本書で開示されている工程のうちの一又は複数の任意のものを実装するために、個別又は連携して、命令のセット（又は複数のセット）を実行する、演算デバイスの任意の集合体を含みうる。本書に記載の方法を実践するよう適合した任意の種類のコンピュータシステム３０４又はその他の装置が、利用されうる。ハードウェアとソフトウェアとの典型的な組み合わせは、汎用コンピュータシステムでありうる。汎用コンピュータシステムは、コンピュータシステム３０４を、本書に記載の工程ステップを実践するように制御する、コンピュータプログラム（例えばコンピュータプログラム製品３０２）を含みうる。
【０２０６】
一部の例では、方法２０００の実行形態は、コンピュータ可用記憶媒体（例えば、ハードディスク、ＣＤ−ＲＯＭ、固体状態メモリなど）におけるコンピュータプログラム製品３０２の形態をとりうる。コンピュータ可用記憶媒体は、そこで具現化される、コンピュータ可用プログラムコードを含みうる。この開示においては、「コンピュータプログラム製品（ｃｏｍｐｕｔｅｒ  ｐｒｏｇｒａｍ  ｐｒｏｄｕｃｔ）」という語は、本書に記載の方法の実装を可能にする特徴を含む、デバイスのことでありうる。コンピュータプログラム、ソフトウェアアプリケーション、コンピュータソフトウェアルーチンという語、及び／又は、これらの語のその他の変形例は、いかなる表現であれ、いかなる言語、コード、又は表記法においても、情報処理能力を有する演算システムに、ａ）別の言語、コード、又は表記法への変換と、ｂ）異なる素材形式での再現、のいずれか若しくは両方の、直後に或いは後に、ある特定の機能の実施を実行させるための命令のセットを、意味しうる。命令は、プログラムコード、コンピュータ可用プログラムコード、又はコンピュータ可読プログラムコードと称されてよく、これらは、プロセッサ３０６によって読み込まれ、実行されうる。プログラムコードは、種々の例において、種々の物理的な又はコンピュータ可読の記憶媒体（メモリ３０８など）で具現化されうる。
【０２０７】
図１９を参照するに、一部の例では、方法２０００は、先行（ｐｒｅｃｕｒｓｏｒ）狭長構造物３１２の仮想表現（本書では先行三次元モデル３１０と称される）を生成するステップ（ブロック２００２）を含む。先行三次元モデル３１０は、コンピュータシステム３０４によって実行される命令を含むコンピュータプログラム製品３０２を使用して生成される。
【０２０８】
先行三次元モデル３１０によって表出される先行狭長構造物３１２は、狭長構造物１０２の特徴（例えば、少なくとも下側フランジとウェブ、及びオプションで上側フランジ）を含む。先行三次元モデル３１０は、不変の断面形状寸法を有する。換言すると、先行三次元モデル３１０の下側フランジは、先行狭長構造物３１２の長さに沿って不変の下側フランジ幅と、先行狭長構造物３１２の長さに沿って不変のウェブ高さと、オプションで、先行狭長構造物３１２の長さに沿って不変の上側フランジ幅とを有する。
【０２０９】
一部の例では、方法２０００は、先行三次元モデル３１０に負荷条件を適用するステップ（ブロック２００４）を含む。一部の例では、負荷条件は、先行三次元モデル３１０のノードに印加される複数の仮想力を含み、かかる仮想力は、構造アセンブリ１００又は狭長構造物１０２に印加されることになる荷重（例えば圧縮荷重）を表わす。負荷条件は、コンピュータシステム３０４によって実行される命令を含むコンピュータプログラム製品３０２を使用して、先行三次元モデル３１０に適用される。
【０２１０】
一部の例では、方法２０００は、先行三次元モデル３１０の断面形状寸法を変更するステップ（ブロック２００６）を含む。先行三次元モデル３１０の断面形状寸法の変更は、先行三次元モデル３１０の長さに沿った、荷重に対する反応が最も起こりやすい場所に基づくものである。一部の例では、先行狭長構造物３１２の長さの、負荷に応じて座屈が最も起こりやすい部分に沿って、先行三次元モデル３１０の高さ、ウェブのウェブ高さ、及び／又はウェブのウェブ肉厚が増やされる。一部の例では、先行狭長構造物３１２の長さの、負荷に応じて座屈が最も起こりにくい部分に沿って、先行三次元モデル３１０の高さ、ウェブのウェブ高さ、及び／又はウェブのウェブ肉厚が減らされる。
【０２１１】
一部の例では、方法２０００は、狭長構造物１０２の仮想表現（本書では三次元モデル３１４と称される）を生成するステップ（ブロック２００８）を含む。三次元モデル３１４は、負荷条件に応じて生成された、変更後の断面形状寸法に基づいて生成される。三次元モデル３１４は、コンピュータシステム３０４によって実行される命令を含むコンピュータプログラム製品３０２を使用して生成される。
【０２１２】
一部の例では、方法２０００は、狭長構造物１０２を作製するステップ（ブロック２０１０）を含む。狭長構造物１０２は、狭長構造物１０２の長さ１１４の少なくとも１つの部分に沿って変動する下側フランジ幅１４４であって、負荷条件に応じて生成された先行三次元モデル３１０の下側フランジ幅に対応する下側フランジ幅１４４を有する、下側フランジ１２２を含む。狭長構造物１０２は、狭長構造物１０２の長さ１１４の少なくとも１つの部分に沿って変動するウェブ高さ１２４及び／又はウェブ肉厚２５４であって、負荷条件に応じて生成された先行三次元モデル３１０のウェブ高さ及びウェブ肉厚に対応する、ウェブ高さ１２４及び／又はウェブ肉厚２５４を有する、ウェブ１２０を含む。オプションで、狭長構造物１０２は、狭長構造物１０２の長さ１１４の少なくとも１つの部分に沿って変動する上側フランジ幅１４６であって、負荷条件に応じて生成された先行三次元モデル３１０の上側フランジ幅に対応する上側フランジ幅１４６を有する、上側フランジ１２８も含む。
【０２１３】
方法２０００によると、狭長構造物１０２の長さ１１４に沿った、最大質量２６８及び／又は最大体積２８０が存在する場所、並びに、狭長構造物１０２の長さ１１４に沿った、最小質量２６６及び／又は最小体積２７８が存在する場所は、構造アセンブリ１００に適用される負荷条件に応じて、選択的に設計される。一部の例では、狭長構造物１０２の長さ１１４に沿った、最大高さ１１８、最大ウェブ高さ１３４、及び／又は最大ウェブ肉厚２７２が存在する場所、並びに、狭長構造物１０２の長さ１１４に沿った、最小高さ１１６、最小ウェブ高さ１３２、及び／又は最小ウェブ肉厚２７０が存在する場所は、構造アセンブリ１００に適用される負荷条件に応じて、選択的に設計される。
【０２１４】
図２０を参照するに、一部の例では、狭長構造物１０２は、付加製造装置３１６を使用して作製される。一部の例では、付加製造装置３１６は、供給材料（金属など）を層をなすように付加することによって、狭長構造物１０２を構築する。付加製造装置３１６は、三次元モデル３１４に基づいて、狭長構造物１０２を作製する。かかる例では、狭長構造物１０２はモノリシック構造物となる。一部の例では、付加製造装置３１６は、供給材料（金属など）を層をなすように付加することによって、例えばパネル構造物１０８及び狭長構造物１０２（及びオプションで、支持構造物１０４）を含む、構造アセンブリ１００を構築する。付加製造装置３１６は、三次元モデル３１４に基づいて、構造アセンブリ１００を作製する。かかる例では、構造アセンブリ１００はモノリシック構造物となる。
【０２１５】
本書で開示されている構造アセンブリ１００、狭長構造物１０２、並びに、方法１０００及び２０００の例により、多種多様な実現可能応用における、特に（例えば航空宇宙応用を含む）輸送産業における、有用性が見い出されうる。ここで図４及び図２１を参照するに、構造アセンブリ１００、狭長構造物１０２、並びに、方法１０００及び２０００の例は、（図２１のフロー図に示している）航空機製造・保守方法１１００、及び（図４に示している）航空機１２００に関連して使用されうる。本開示の例の航空機応用は、航空機の製造において使用される、胴体、翼、又はその他の構成要素を形成する、狭長構造物を有する構造アセンブリの作製を含みうる。
【０２１６】
図２１に示しているように、例示的な方法１１００は、製造前段階において、航空機１２００の仕様及び設計（ブロック１１０２）、並びに材料調達（ブロック１１０４）を含みうる。航空機１２００の製造段階では、航空機１２００の構成要素及びサブアセンブリの製造（ブロック１１０６）、並びにシステムインテグレーション（ブロック１１０８）が行われうる。その後、航空機１２００は、認可及び納品（ブロック１１１０）を経て、運航（ブロック１１１２）に供されうる。本開示の構造アセンブリ１００、狭長構造物１０２、並びに、方法１０００及び２０００は、構成要素及びサブアセンブリの製造（ブロック１１０６）、及び／又はシステムインテグレーション（ブロック１１０８）の一部分を形成しうる。定期的な整備及び保守（ブロック１１１４）は、航空機１２００の一又は複数のシステムの改変、再構成、改修などを含みうる。
【０２１７】
例示的な方法１１００の各プロセスは、システムインテグレータ、第三者、及び／又はオペレータ（例えば顧客）によって、実施又は実践されうる。この明細書において、システムインテグレータは、任意の数の航空機製造業者及び主要システム下請業者を含みうるがこれらに限定されるわけではなく、第三者は、任意の数のベンダー、下請業者、及び供給業者を含みうるがこれらに限定されるわけではなく、かつ、オペレータは、航空会社、リース会社、軍事団体、サービス機関などでありうる。
【０２１８】
本書で図示又は説明している構造アセンブリ１００、狭長構造物１０２、並びに、方法１０００及び２０００は、図２１のフロー図に示している製造・保守方法１１００の一又は複数の任意の段階において用いられうる。例えば、構成要素及びサブアセンブリの製造（ブロック１１０６）に対応する構成要素又はサブアセンブリ（狭長構造物１０２を含むものなど）は、航空機１２００の運航（ブロック１１１２）の期間中に製造される構成要素又はサブアセンブリと同様に、作製又は製造されうる。また、構造アセンブリ１００、狭長構造物１０２、並びに、方法１０００及び２０００、又はこれらの組み合わせの、一又は複数の例は、製造段階（ブロック１１０８及び１１１０）において利用されうる。同様に、構造アセンブリ１００、狭長構造物１０２、並びに、方法１０００及び２０００、又はこれらの組み合わせの、一又は複数の例は、限定するわけではないが例としては、航空機１２００の運航（ブロック１１１２）期間中に、及び整備及び保守（ブロック１１１４）において、利用されうる。
【０２１９】
航空宇宙関連の例を示しているが、本書で開示されている原理は、その他の産業（自動車産業、宇宙産業、建設産業、並びに、その他の設計業及び製造業など）にも適用されうる。したがって、本書で開示されている原理は、航空機に加えて、その他の輸送体構造物２３４（例えば陸上輸送体、海洋輸送体、宇宙輸送体など）、及びスタンドアロン構造物２３６にも適用されうる。
【０２２０】
本書で使用される場合、特定の機能を実施するように「構成され（ｃｏｎｆｉｇｕｒｅｄ  ｔｏ）」たシステム、装置、構造物、物品、要素、構成要素、又はハードウェアは、実際には、いかなる変更も伴わずにこの特定の機能を実施することが可能であり、更なる改変の後にこの特定の機能を実施する可能性があるにすぎない、というものではない。換言すると、特定の機能を実施する「よう構成され」たシステム、装置、構造物、物品、要素、構成要素、又はハードウェアは、この特定の機能を実施するという目的のために、特に選択され、作り出され、実装され、利用され、プログラムされ、かつ／又は設計される。本書で使用される場合、「よう構成され」という表現は、更なる改変を伴わずにシステム、装置、構造物、物品、要素、構成要素、又はハードウェアが特定の機能を実施することを可能にする、システム、装置、構造物、物品、要素、構成要素、又はハードウェアの特性が、存在することを意味する。この開示において、特定の機能を実施する「よう構成され」ていると説明されるシステム、装置、構造物、物品、要素、構成要素、又はハードウェアは、追加的又は代替的には、その機能を実施するよう「適合している（ａｄａｐｔｅｄ  ｔｏ）」、及び／又は、実施するよう「動作可能である（ｏｐｅｒａｔｉｖｅ  ｔｏ）」とも記述されうる。
【０２２１】
別途指示されない限り、「第１の（ｆｉｒｓｔ）」、「第２の（ｓｅｃｏｎｄ）」などの語は、本書では単に符号として使用されており、これらの語が指し示すアイテムに順序的、位置的、又は序列的な要件を課すことを意図するものではない。更に、「第２」のアイテムへの言及が、より小さい数が振られたアイテム（例えば、「第１」アイテム）及び／又はより大きい数が振られたアイテム（例えば、「第３」アイテム）の存在を、必要とすることも、除外することもない。
【０２２２】
この明細書において、「連結され（ｃｏｕｐｌｅｄ）」、「連結（ｃｏｕｐｌｉｎｇ）」という語、及び類似の語は、互いに（例えば、機械的、電気的、流体的、光学的、電磁的に）接合され、繋がれ、締結され、接続され、通信するようにされ、さもなければ関連付けられている、２を上回る数の要素を表わす。様々な例において、これらの要素は、直接的又は間接的に関連付けられうる。一例としては、要素Ａは要素Ｂに直接的に関連付けられうる。別の例としては、要素Ａは、例えば別の要素Ｃを介して、要素Ｂに間接的に関連付けられうる。開示されている様々な要素同士の全ての関連付けが、必ずしも表現されているわけではないことが、理解されよう。したがって、図面に示されているもの以外の連結も、存在しうる。
【０２２３】
本書で使用される場合、列挙されたアイテムと共に使用される「のうちの少なくとも１つ（ａｔｌｅａｓｔｏｎｅｏｆ）」という表現は、列挙されたアイテムのうちの一又は複数のアイテムの種々の組み合わせが使用されうること、及び、列挙されたアイテムの各々のうちの１つだけが必要とされうることを、意味している。例えば、「アイテムＡ、アイテムＢ、及びアイテムＣのうちの少なくとも１つ」は、「アイテムＡ」、又は「アイテムＡとアイテムＢ」を含みうるが、それに限定される訳ではない。この例は、「アイテムＡ、アイテムＢ、及びアイテムＣ」、又は「アイテムＢ及びアイテムＣ」も含みうる。他の例では、「〜のうちの少なくとも１つ」は、限定する訳ではないが例としては、「２つのアイテムＡ、１つのアイテムＢ、及び１０個のアイテムＣ」、「４つのアイテムＢと７つのアイテムＣ」、並びに他の好適な組み合わせでありうる。
【０２２４】
上記で言及した図１及び図２０において、ブロックは、要素、構成要素、及び／又はこれらの部分を表わしていることがあり、様々な要素及び／又は構成要素同士を接続する線が存在する場合、かかる線は、機械的連結、電気的連結、流体的連結、光学的連結、電磁的連結、及びその他の連結、並びに／又はこれらの組み合わせを表わしうる。ブロック図には、上述したもの以外の連結も存在しうる。様々な要素及び／又は構成要素を指し示すブロック同士を接続する破線が存在する場合、かかる破線は、機能及び目的の点で実線によって表されているものに類似した連結を表わす。しかし、破線によって表わされる連結は、選択的に提供されるか、又は、代替例に関連するかの、いずれかでありうる。同様に、破線で表わされた要素及び／又は構成要素が存在する場合、それらは代替例を示す。実線及び／又は破線で示されている一又は複数の要素は、本開示の範囲から逸脱しなければ、特定の例から省略されうる。環境要素が存在する場合、それらは点線で表わされる。分かりやすくするために、仮想的な（架空の）要素も示されることがある。図１及び図２０に示している特徴の一部は、図１及び図２０、他の図、並びに／又は付随する開示に記載されている、他の特徴を含むことを必要とせずに、様々な方式で組み合わされうることを、当業者は理解しよう（ただし、一又は複数のかかる組み合わせは、本書では明示的に示されていない）。同様に、提示されている例に限定されない更なる特徴が、本書で図示し、説明している特徴の一部又は全部と組み合わされうる。
【０２２５】
上記で言及した図１８、図１９、及び図２１において、ブロックは、工程及び／又はその部分を表わしていることがあり、様々なブロックを接続する線は、これらの工程又はその部分の、いかなる特定の順序も従属関係も、示唆するものではない。破線で表わされているブロックは、代替的な工程及び／又はその部分を示している。様々なブロックを接続する破線がある場合、かかる破線は、工程又はその部分の代替的な従属関係を表わす。本開示の様々な工程同士の、全ての従属関係が必ずしも表わされているわけではないことが、理解されよう。本書に明記された本開示の方法の工程を説明している、図１８、図１９、及び図２１、並びに付随する開示は、必ずしも、工程が実施されるシーケンスを決定するものであると解釈すべきではない。むしろ、１つの例示的な順序が示されていても、工程のシーケンスは適宜改変されうると理解されたい。したがって、図示されている工程には改変、追加、及び／又は省略が行われてよく、ある種の工程は、異なる順序で、又は同時に、実施されうる。更に、当業者であれば、説明されている全ての工程を実施する必要はないことを、認識しよう。
【０２２６】
条項１．長さと質量とを有する、構造アセンブリのための狭長構造物であって、
狭長構造物の長さにわたり延在するウェブと、
ウェブから延在する下側フランジとを備え、
構造アセンブリの支持構造物と交差するよう構成されており、
狭長構造物の質量は、狭長構造物の長さに沿って変動し、
狭長構造物の局所的質量は、狭長構造物の長さの少なくとも１つの部分に沿って減少し、狭長構造物の長さの少なくとも１つの別の部分に沿って増大する、狭長構造物。
【０２２７】
条項２．
ウェブはウェブ高さを有し、
ウェブのウェブ高さは、狭長構造物の長さに沿って変動し、
ウェブの局所的ウェブ高さの減少は、狭長構造物の局所的質量の減少に対応し、
狭長構造物の局所的ウェブ高さの増大は、狭長構造物の局所的質量の増大に対応する、条項１に記載の狭長構造物。
【０２２８】
条項３．
ウェブはウェブ肉厚を有し、
ウェブ肉厚は、狭長構造物の長さに沿って変動し、
ウェブの局所的ウェブ肉厚の減少は、狭長構造物の局所的質量の減少に対応し、
狭長構造物の局所的ウェブ肉厚の増大は、狭長構造物の局所的質量の増大に対応する、条項１に記載の狭長構造物。
【０２２９】
本開示の構造アセンブリ、狭長構造物、及び方法の様々な例を示し、説明してきたが、当業者は、本明細書を読むことで、改変例を想起しうる。本出願は、かかる改変例を含み、特許請求の範囲によってのみ限定される。
【図１】
2020050332.tif 000002
【図２】
2020050332.tif 000003
【図３】
2020050332.tif 000004
【図４】
2020050332.tif 000005
【図５】
2020050332.tif 000006
【図６】
2020050332.tif 000007
【図７】
2020050332.tif 000008
【図８】
2020050332.tif 000009
【図９】
2020050332.tif 000010
【図１０】
2020050332.tif 000011
【図１１】
2020050332.tif 000012
【図１２】
2020050332.tif 000013
【図１３】
2020050332.tif 000014
【図１４】
2020050332.tif 000015
【図１５】
2020050332.tif 000016
【図１６】
2020050332.tif 000017
【図１７】
2020050332.tif 000018
【図１８】
2020050332.tif 000019
【図１９】
2020050332.tif 000020
【図２０】
2020050332.tif 000021
【図２１】
2020050332.tif 000022
【外国語明細書】
2020050332000001.pdf
2020050332000002.pdf
2020050332000003.pdf
2020050332000004.pdf